(57)【要約】      （修正有）【課題】燃料の比率に基づいて、各燃料流量調節弁の開度指令値を決定することができるガスタービンの燃焼制御装置を提供する。【解決手段】ガスタービンの燃焼制御装置の構成を、全燃料流量指令値（ＣＳＯ）と、パイロット比などの燃料ガスの比率とに基づいて各燃焼ガスの燃料流量指令値（ＰＬＣＳＯなど）を求め、この燃料流量指令値と、燃料流量指令値と燃料ガス流量との関数とに基づいて燃料ガス流量（パイロット燃料ガス流量ＧfPLなど）求め、この燃料ガス流量と燃料ガス温度と各燃料流量調節弁（パイロット燃料流量調節弁など）の前圧及び後圧とに基づき、Ｃｖ値計算式から、各燃料流量調節弁のＣｖ値を求め、このＣｖ値と、Ｃｖ値と燃料流量調節弁開度との関数とに基づいて各燃料流量調節弁開度指令値（パイロット燃料流量調節弁開度指令値など）を求める構成とする。【選択図】図２４
2007077866.tif 000002
【特許請求の範囲】
【請求項１】
ガスタービン本体と、複数種類の燃料ノズルを有する燃焼器と、圧縮機と、前記複数種類の燃料ノズルへの燃料供給量をそれぞれ調整する複数の燃料流量調節弁とを有するガスタービンに装備され、前記燃料流量調節弁の開度を制御することによって前記複数種類の燃料ノズルへの燃料供給量を制御するガスタービンの燃焼制御装置において、
前記複数種類の燃料ノズルに供給する全燃料流量に比例する全燃料流量指令値と、前記複数種類の燃料ノズルのそれぞれへ供給する燃料の比率とに基づいて、前記複数種類の燃料ノズルのそれぞれへ供給する燃料流量に比例する燃料流量指令値を求める燃料流量指令設定手段と、
この燃料流量指令設定手段で設定した前記燃料流量指令値と、燃料流量指令値と燃料流量との関数とに基づいて、前記複数種類の燃料ノズルのそれぞれへ供給する前記燃料流量を求める燃料流量設定手段と、
この燃料流量設定手段で設定した前記燃料流量と、燃料温度と、前記燃料流量調節弁の前圧及び後圧とに基づき、Ｃｖ値計算式から、前記燃料流量調節弁のＣｖ値を求めるＣｖ値設定手段と、
このＣｖ値設定手段で設定したＣｖ値と、Ｃｖ値と燃料流量調節弁開度との関数に基づいて、燃料流量調節弁開度指令値を求める燃料流量調節弁開度指令設定手段とを備え、
この燃料流量調節弁開度指令値設定手段で設定した前記燃料流量調節弁開度指令値に基づいて、前記燃料流量調節弁の開度を制御することにより前記複数種類の燃料ノズルへの燃料供給量を制御することを特徴とするガスタービンの燃焼制御装置。
【請求項２】
請求項１に記載のガスタービンの燃焼制御装置において、
前記燃料の比率を、前記吸気温度に基づいて補正する吸気温度補正手段を備えたことを特徴とするガスタービンの燃焼制御装置。
【請求項３】
請求項２に記載のガスタービンの燃焼制御装置において、
前記吸気温度補正手段では、ガスタービン出力に応じて吸気温度補正量を調整することを特徴とするガスタービンの燃焼制御装置。
【請求項４】
請求項１，２又は３に記載のガスタービンの燃焼制御装置において、
前記燃料温度を計測する燃料温度計の異常が発生したときには、この異常発生時よりも一定時間前の前記燃料温度の計測値を前記燃料温度として用いる燃料温度補正手段を備えたことを特徴とするガスタービンの燃焼制御装置。
【請求項５】
請求項４に記載のガスタービンの燃焼制御装置において、
前記燃料温度補正手段は、第１の一次遅れ演算手段と、この第１一次遅れ演算手段の一次遅れ時定数よりも小さい一次遅れ時定数を有する第２の一次遅れ演算手段とを有し、前記燃料温度に対して前記第１の一次遅れ演算手段と前記第２の一次遅れ演算手段とで一次遅れ演算をして、これらの演算結果の何れか小さいほうの値を前記燃料温度として用いることを特徴とするガスタービンの燃焼制御装置。
【請求項６】
請求項１，２，３，４又は５に記載のガスタービンの燃焼制御装置において、
前記燃料流量設定手段で設定した前記燃料流量から得られる前記燃料ノズルの燃料流量と、前記燃料ノズルのＣｖ値と、燃料温度と、前記燃料ノズルの後圧とに基づき、前記燃料ノズルの前圧の算出式から、前記燃料ノズルの前圧に相当する前記燃料流量調節弁の後圧を算出する圧力算出手段を有し、
前記燃料流量調節弁の後圧を計測する圧力計の異常が発生したときには、この圧力算出手段で算出した圧力を、前記燃料流量調節弁の後圧として用いる圧力補正手段を備えたことを特徴とするガスタービンの燃焼制御装置。
【請求項７】
請求項６に記載のガスタービンの燃焼制御装置において、
前記圧力算出手段で算出された前記燃料流量調節弁の後圧と実測値の前記燃料流量調節弁の後圧とを比較して、前記後圧の計算値が前記後圧の実測値に一致するように前記燃料ノズルのＣｖ値を補正する学習手段を備えたことを特徴とするガスタービンの燃焼制御装置。
【発明の詳細な説明】
【技術分野】
【０００１】
本発明はガスタービンの燃焼制御装置に関する。
【背景技術】
【０００２】
ガスタービン本体と、燃焼器と、入口案内翼（Inlet Guide Vane：ＩＧＶ）を備えた圧縮機と、前記燃焼器の燃料ノズルへの燃料供給量を調整する燃料流量調節弁とを有してなるガスタービンには、前記燃料流量調節弁の開度を制御することによって前記燃料ノズルへの燃料供給量を制御するガスタービンの燃焼制御装置や、ＩＧＶの開度制御を行うＩＧＶ制御装置などが装備されている。
【０００３】
そして、前記燃焼器には複数種類の燃料ノズルを有するもの、即ち、高負荷時のＮＯｘ低減と低負荷時の燃焼安定性を図ることなどを目的として予混合燃焼用のメインノズルと拡散燃焼用のパイロットノズルとを備えたものや、これに更なるＮＯｘ低減を図ることなどを目的として予混合燃焼用のトップハットノズルを備えたものなどがある。
【０００４】
図３９は従来のガスタービン燃焼制御装置における処理の流れの概要を示すブロック図である。図３９に示すように従来のガスタービン燃焼制御装置では、複数の発電設備の発電機出力を管理する中央給電センターから送られてくる発電機出力指令値に基づいて、まず、ＣＳＯ（弁開度指令値）を設定する。そして、このＣＳＯと、所定のパイロット比が得られるように設定したＣＳＯとＰＬＣＳＯ（パイロット燃料流量調節弁開度指令値）との関数ＦＸ１と、所定のトップハット比が得られるように設定したＣＳＯとＴＨＣＳＯ（トップハット燃料流量調節弁開度指令値）との関数ＦＸ２と、ＭＡＣＳＯ（メイン燃料流量調節弁開度指令値）の計算式（ＭＡＣＳＯ＝ＣＳＯ−ＰＬＣＳＯ−ＴＨＣＳＯ）とに基づいて、ＰＬＣＳＯとＴＨＣＳＯとＭＡＣＳＯとを求め、これらの弁開度指令値に基づいてメイン燃料流量調節弁の開度とパイロット流調弁の開度とトップハット燃料流量調節弁の開度とをそれぞれ制御することによりメインノズルへの燃料供給量とパイロットノズルへの燃料供給量とトップハットノズルへの燃料供給量とを制御して、発電機出力が発電機出力指令値に一致するように制御していた。なお、このときガスタービン燃焼制御装置では実測値の発電機出力と発電機出力指令値とが一致しなければ、これらが一致するようにこれらの偏差に基づいてＣＳＯを調整する。
【０００５】
また、燃焼器に対する圧縮空気のバイパス量を調整するための燃焼器バイパス弁が装備されている場合、従来のガスタービンの燃焼制御装置では、図４０に例示するような発電機出力（ガスタービン出力）ＭＷと、車室圧力Ｐcsの関数ＦＸ（Ｐcs）との比（ＭＷ／ＦＸ（Ｐcs））と、ＢＹＣＳＯ（燃焼器バイパス弁開度指令値）との関数（ＢＹＣＳＯ＝ＦＸ（ＭＷ／Ｐcs））と、実測値の発電機出力（ガスタービン出力）ＭＷと実測値の車室圧力Ｐcsの関数ＦＸ（Ｐcs）との比（ＭＷ／ＦＸ（Ｐcs））とに基づいて、ＢＹＣＳＯを求め、このＢＹＣＳＯに基づいて燃焼器バイパス弁の開度を制御することにより圧縮空気のバイパス量を制御していた。即ち、この場合には上記２つの制御（燃料流量調節弁開度制御と燃焼器バイパス弁開度制御）を行うことでガスタービンの燃焼状態を制御している。
【０００６】
なお、先行技術文献である下記の特許文献１にはパイロット比自動調整装置が記載され、特許文献２にはガスタービン燃料供給装置が記載され、特許文献３には燃焼制御装置が記載されている。
【特許文献１】特開平１１−２２４９０号公報
【特許文献２】特開平８−１７８２９０号公報
【特許文献３】特開平６−１４７４８４号公報
【発明の開示】
【発明が解決しようとする課題】
【０００７】
上記従来のガスタービン燃焼制御装置ではＣＳＯ（弁開度指令値）から直接、各燃料流量調節弁の開度指令値（ＰＬＣＳＯ、ＴＨＣＳＯ、ＭＡＣＳＯ）を求めていた。即ち、ＣＳＯ（弁開度指令値）の関数としてパイロット比やトップハット比などを制御していた。このため、従来のガスタービン燃焼制御装置には次のような問題点がある。
【０００８】
（１）  各燃料ガスの比率（パイロット比、トップハット比、メイン比）と各燃料流量調節弁の開度指令値（ＰＬＣＳＯ、ＴＨＣＳＯ、ＭＡＣＳＯ）との結び付けが困難である。また、条件により、これらの関係がずれる。
（２）  ガスタービン入口燃焼ガス温度が一定の運転状態で、吸気温度（大気温度）が変わると、吸気の密度が変わるため、ＣＳＯが変化して、パイロット比、トップハット比、メイン比がずれる。例えば図４１に吸気温度の変化に対する燃焼ガス温度ＴＩＴとＣＳＯの関係を例示するように吸気温度が変わると、燃焼ガス温度ＴＩＴとＣＳＯの関係がずれる。そして、ＣＳＯがずれればＰＬＣＳＯやＴＨＣＳＯなどもずれて、パイロット比やトップハット比などもずれてしまう。
（３）  ガスタービン入口燃焼ガス温度が一定の運転状態で、燃料ガス温度が変わると、燃料ガスの密度が変わるため、ＣＳＯが変化して、パイロット比、トップハット比、メイン比がずれる。例えば図４２に燃料ガス温度の変化に対する燃焼ガス温度ＴＩＴとＣＳＯの関係を例示するように燃料ガス温度が変わると、燃焼ガス温度ＴＩＴとＣＳＯの関係がずれる。そして、ＣＳＯがずれればＰＬＣＳＯやＴＨＣＳＯなどもずれて、パイロット比やトップハット比などもずれてしまう。
（４）  燃焼ガス温度が一定の運転状態で、圧縮機の能力の低下などによりガスタービン性能が劣化すると、ＣＳＯが変化して、パイロット比、トップハット比、メイン比がずれる。
（５）  燃焼ガス温度が一定の運転状態で、燃料ガスの性状（燃料ガスの発熱量）が変わると、ＣＳＯが変化して、パイロット比、トップハット比なども変化してしまう。例えば図４３に燃料ガス発熱量の変化に対するガスタービン出力（発電機出力）とＣＳＯとの関係を例示するように燃料ガスの発熱量が変わると、発電機出力（ガスタービン出力とＣＳＯの関係がずれてしまう。ＣＳＯがずれればＰＬＣＳＯやＴＨＣＳＯなどもずれて、パイロット比やトップハット比などもずれてしまう。
【０００９】
即ち、従来のガスタービン燃焼制御装置は各燃料ガスの比率（パイロット比、トップハット比、メイン比）に基づいて、各燃料流量調節弁の開度指令値（ＰＬＣＳＯ、ＴＨＣＳＯ、ＭＡＣＳＯ）を決定するものではないため、各燃料ガスの比率（パイロット比、トップハット比、メイン比）と各燃料流量調節弁の開度指令値（ＰＬＣＳＯ、ＴＨＣＳＯ、ＭＡＣＳＯ）との結び付けが困難であり、条件によっては、これらの関係がずれることがあった。
【００１０】
従って本発明は上記の事情に鑑み、燃料の比率（例えばパイロット比、トップハット比、メイン比）に基づいて、各燃料流量調節弁の開度指令値（例えばパイロット燃料流量調節弁開度指令値、トップハット燃料流量調節弁開度指令値、メイン燃料流量調節弁開度指令値）を決定することができるガスタービンの燃焼制御装置を提供することを課題とする。
【課題を解決するための手段】
【００１１】
上記課題を解決する第１発明のガスタービンの燃焼制御装置は、ガスタービン本体と、複数種類の燃料ノズルを有する燃焼器と、圧縮機と、前記複数種類の燃料ノズルへの燃料供給量をそれぞれ調整する複数の燃料流量調節弁とを有するガスタービンに装備され、前記燃料流量調節弁の開度を制御することによって前記複数種類の燃料ノズルへの燃料供給量を制御するガスタービンの燃焼制御装置において、
前記複数種類の燃料ノズルに供給する全燃料流量に比例する全燃料流量指令値と、前記複数種類の燃料ノズルのそれぞれへ供給する燃料の比率とに基づいて、前記複数種類の燃料ノズルのそれぞれへ供給する燃料流量に比例する燃料流量指令値を求める燃料流量指令設定手段と、
この燃料流量指令設定手段で設定した前記燃料流量指令値と、燃料流量指令値と燃料流量との関数とに基づいて、前記複数種類の燃料ノズルのそれぞれへ供給する前記燃料流量を求める燃料流量設定手段と、
この燃料流量設定手段で設定した前記燃料流量と、燃料温度と、前記燃料流量調節弁の前圧及び後圧とに基づき、Ｃｖ値計算式から、前記燃料流量調節弁のＣｖ値を求めるＣｖ値設定手段と、
このＣｖ値設定手段で設定したＣｖ値と、Ｃｖ値と燃料流量調節弁開度との関数に基づいて、燃料流量調節弁開度指令値を求める燃料流量調節弁開度指令設定手段とを備え、
この燃料流量調節弁開度指令値設定手段で設定した前記燃料流量調節弁開度指令値に基づいて、前記燃料流量調節弁の開度を制御することにより前記複数種類の燃料ノズルへの燃料供給量を制御することを特徴とする。
【００１２】
また、第２発明のガスタービンの燃焼制御装置は、第１発明のガスタービンの燃焼制御装置において、
前記燃料の比率を、前記吸気温度に基づいて補正する吸気温度補正手段を備えたことを特徴とする。
【００１３】
また、第３発明のガスタービンの燃焼制御装置は、第２発明のガスタービンの燃焼制御装置において、
前記吸気温度補正手段では、ガスタービン出力に応じて吸気温度補正量を調整することを特徴とする。
【００１４】
また、第４発明のガスタービンの燃焼制御装置は、第１，第２又は第３発明のガスタービンの燃焼制御装置において、
前記燃料温度を計測する燃料温度計の異常が発生したときには、この異常発生時よりも一定時間前の前記燃料温度の計測値を前記燃料温度として用いる燃料温度補正手段を備えたことを特徴とする。
【００１５】
また、第５発明のガスタービンの燃焼制御装置は、第４発明のガスタービンの燃焼制御装置において、
前記燃料温度補正手段は、第１の一次遅れ演算手段と、この第１一次遅れ演算手段の一次遅れ時定数よりも小さい一次遅れ時定数を有する第２の一次遅れ演算手段とを有し、前記燃料温度に対して前記第１の一次遅れ演算手段と前記第２の一次遅れ演算手段とで一次遅れ演算をして、これらの演算結果の何れか小さいほうの値を前記燃料温度として用いることを特徴とする。
【００１６】
また、第６発明のガスタービンの燃焼制御装置は、第１，第２，第３，第４又は第５発明のガスタービンの燃焼制御装置において、
前記燃料流量設定手段で設定した前記燃料流量から得られる前記燃料ノズルの燃料流量と、前記燃料ノズルのＣｖ値と、燃料温度と、前記燃料ノズルの後圧とに基づき、前記燃料ノズルの前圧の算出式から、前記燃料ノズルの前圧に相当する前記燃料流量調節弁の後圧を算出する圧力算出手段を有し、
前記燃料流量調節弁の後圧を計測する圧力計の異常が発生したときには、この圧力算出手段で算出した圧力を、前記燃料流量調節弁の後圧として用いる圧力補正手段を備えたことを特徴とする。
【００１７】
また、第７発明のガスタービンの燃焼制御装置は、第６発明のガスタービンの燃焼制御装置において、
前記圧力算出手段で算出された前記燃料流量調節弁の後圧と実測値の前記燃料流量調節弁の後圧とを比較して、前記後圧の計算値が前記後圧の実測値に一致するように前記燃料ノズルのＣｖ値を補正する学習手段を備えたことを特徴とする。
【００１８】
なお、上記第１発明のように燃料の比率（例えばパイロット比、トップハット比、メイン比）に基づいて燃料流量調節弁開度指令値を設定する場合、この燃料の比率は任意の手段によって設定したものを用いることができるが、例えばこの燃料の比率を適宜の算出手段によって算出したガスタービン入口燃焼ガス温度又はこれに比例する値に基づいて決定するようにしてもよく、この場合には例えば次のような構成とすることができる。
【００１９】
即ち、第１の構成のガスタービンの燃焼制御装置は、ガスタービン本体と、複数種類の燃料ノズルを有する燃焼器と、入口案内翼を備えた圧縮機と、前記複数種類の燃料ノズルへの燃料供給量をそれぞれ調整する複数の燃料流量調節弁とを有するガスタービンに装備され、前記燃料流量調節弁の開度を制御することによって前記複数種類の燃料ノズルへの燃料供給量を制御するガスタービンの燃焼制御装置において、
前記圧縮機の吸気温度と、前記入口案内翼の開度とに基づいて、第１のガスタービン入口燃焼ガス温度に対応する第１ガスタービン出力を算出する第１ガスタービン出力算出手段と、
前記圧縮機の吸気温度と、前記入口案内翼の開度とに基づいて、前記第１のガスタービン燃焼ガス温度よりも高温の第２のガスタービン入口燃焼ガス温度に対応する第２ガスタービン出力を算出する第２ガスタービン出力算出手段と、
前記第１ガスタービン出力算出手段で算出した前記第１ガスタービン出力と、前記第２ガスタービン出力算出手段で算出した前記第２ガスタービン出力と、前記ガスタービンの出力とに基づいて、直線補間により、ガスタービン入口燃焼ガス温度を無次元化した燃焼負荷指令値を算出する燃焼負荷指令算出手段とを備え、
この燃焼負荷指令算出手段で算出した前記燃焼負荷指令値に基づいて、前記複数種類の燃料ノズルのそれぞれへ供給する燃料の比率を決定し、これらの燃料の比率に基づいて前記燃料流量調節弁の開度を制御することにより前記複数種類の燃料ノズルへの燃料供給量を制御することを特徴とする。
【００２０】
また、第２の構成のガスタービンの燃焼制御装置は、第１の構成のガスタービンの燃焼制御装置において、
前記ガスタービンには、前記燃焼器に対する圧縮空気のバイパス量を調整する燃焼器バイパス弁が装備されており、
前記燃焼負荷指令算出手段で算出した前記燃焼負荷指令値に基づいて、前記燃焼器バイパス弁の開度を制御することにより前記圧縮空気のバイパス量を制御することを特徴とする。
【００２１】
また、第３の構成のガスタービンの燃焼制御装置は、第１又は第２の構成のガスタービンの燃焼制御装置において、
前記ガスタービンは前記燃焼器及び前記ガスタービン本体に対して圧縮空気をバイパスするガスタービンバイパス手段を有しており、
前記第１ガスタービン出力算出手段では、前記圧縮機の吸気温度と、前記入口案内翼の開度と、前記圧縮機の全圧縮空気量と前記ガスタービンバイパス手段によるタービンバイパス流量との比であるタービンバイパス比とに基づいて、前記第１ガスタービン出力を算出し、
前記第２ガスタービン出力算出手段では、前記圧縮機の吸気温度と、前記入口案内翼の開度と、前記タービンバイパス比とに基づいて、前記第２ガスタービン出力を算出することを特徴とする。
【００２２】
また、第４の構成のガスタービンの燃焼制御装置は、第１，第２又は第３の構成のガスタービンの燃焼制御装置において、
前記第１ガスタービン出力算出手段では、前記圧縮機の吸気温度と、前記入口案内翼の開度と、前記圧縮機の吸気圧力と標準大気圧との比である大気圧比とに基づいて、前記第１ガスタービン出力を算出、又は、前記圧縮機の吸気温度と、前記入口案内翼の開度と、前記タービンバイパス比と、前記大気圧比とに基づいて、前記第１ガスタービン出力を算出し、
前記第２ガスタービン出力算出手段では、前記圧縮機の吸気温度と、前記入口案内翼の開度と、前記大気圧比とに基づいて、前記第２ガスタービン出力を算出、又は、前記圧縮機の吸気温度と、前記入口案内翼の開度と、前記タービンバイパス比と、前記大気圧比とに基づいて、前記第２ガスタービン出力を算出することを特徴とする。
【００２３】
また、第５の構成のガスタービンの燃焼制御装置は、第１，第２，第３又は第４の構成のガスタービンの燃焼制御装置において、
前記第２ガスタービン出力算出手段は、前記第２のガスタービン入口燃焼ガス温度である最高燃焼ガス温度に対応する第２ガスタービン出力を算出するものであり、
前記ガスタービン本体から排出される排ガスの温度と前記圧縮機の圧力比とに基づいてガスタービン入口燃焼ガス温度が前記最高燃焼ガス温度に達したと判断した後、前記第２ガスタービン出力算出手段で算出された前記第１ガスタービン出力と、前記ガスタービンの出力とを比較して、前記第１ガスタービン出力を前記ガスタービンの出力に一致させるように補正する学習手段を備えたことを特徴とする。
【発明の効果】
【００２４】
第１発明のガスタービンの燃焼制御装置によれば、全燃料流量指令値と、所定の燃料の比率とに基づいて各燃焼ガスの燃料流量指令値を求め、この燃料流量指令値と、燃料流量指令値と燃料ガス流量との関数とに基づいて燃料ガス流量求め、この燃料ガス流量と燃料ガス温度と各燃料流量調節弁の前圧及び後圧とに基づき、Ｃｖ値計算式から、各燃料流量調節弁のＣｖ値を求め、このＣｖ値と、Ｃｖ値と燃料流量調節弁開度との関数とに基づいて各燃料流量調節弁開度指令値を求めるため、所定の燃料の比率（例えばパイロット比、トップハット比、メイン比）となるように各燃料流量調節弁（例えばパイロット燃料流量調節弁、トップハット燃料流量調節弁、メイン燃料流量調節弁）の開度を自動的に決定することができる。即ち、燃料の比率（パイロット比、トップハット比、メイン比）などが入力されれば、この燃料の比率に対応した各燃料流量調節弁開度指令値（例えばパイロット燃料流量調節弁開度指令値、トップハット燃料流量調節弁開度指令値、メイン燃料流量調節弁開度指令値）を自動的に計算することができる。
【００２５】
また、第２発明のガスタービンの燃焼制御装置によれば、燃料の比率を、吸気温度に基づいて補正するため、吸気温度の変化に対して、より適切な燃焼制御を行うことができる。
【００２６】
また、第３発明のガスタービンの燃焼制御装置によれば、ガスタービン出力（燃焼負荷指令値でもよい）に応じて吸気温度補正量を調整するため、負荷（ガスタービン出力）に応じた適切な吸気温度補正を行うことができる。
【００２７】
また、第４発明のガスタービンの燃焼制御装置によれば、燃料温度を計測する燃料温度計の異常が発生したときには、この異常発生時よりも一定時間前の前記燃料温度の計測値を前記燃料温度として用いる燃料温度補正手段を備えたため、断線などによる燃料温度計の異常発生時にも、急激な燃焼流量の変動などを招くことなく、安定した燃焼制御を行うことができ、ガスタービンの運転を継続することができる。
【００２８】
また、第５発明のガスタービンの燃焼制御装置によれば、燃料温度補正手段は、第１の一次遅れ演算手段と、この第１一次遅れ演算手段の一次遅れ時定数よりも小さい一次遅れ時定数を有する第２の一次遅れ演算手段とを有し、前記燃料温度に対して前記第１の一次遅れ演算手段と前記第２の一次遅れ演算手段とで一次遅れ演算をして、これらの演算結果の何れか小さいほうの値を前記燃料温度として用いるため、ガスタービン入口燃焼ガス温度の変化速度を緩和することができるとともに燃焼ガスの過投入を防止することができる。
【００２９】
また、第６発明のガスタービンの燃焼制御装置によれば、燃料流量設定手段で設定した燃料流量から得られる燃料ノズルの燃料流量と、燃料ノズルのＣｖ値と、燃料温度と、燃料ノズルの後圧とに基づき、燃料ノズルの前圧の算出式から、燃料ノズルの前圧に相当する燃料流量調節弁の後圧を算出する圧力算出手段を有し、燃料流量調節弁の後圧を計測する圧力計の異常が発生したときには、この圧力算出手段で算出した圧力を、燃料流量調節弁の後圧として用いる圧力補正手段を備えたため、断線などによる圧力計（例えばパイロットマニホールド圧力計、トップハットマニホールド圧力計、メインマニホールド圧力計）の異常発生時にも、ガスタービンの燃焼制御を行うことができるため、ガスタービンの運転を継続することができる。
【００３０】
また、第７発明のガスタービンの燃焼制御装置によれば、圧力算出手段で算出された燃料流量調節弁の後圧と実測値の前記燃料流量調節弁の後圧とを比較して、前記後圧の計算値が前記後圧の実測値に一致するように燃料ノズルのＣｖ値を補正する学習手段を備えたため、より正確なノズルＣｖ値を得ることができて、より正確な前記後圧の計算値を得ることができる。
【発明を実施するための最良の形態】
【００３１】
以下、本発明の実施の形態例を図面に基づいて詳細に説明する。
【００３２】
＜構成＞
まず、図１〜図３に基づき、ガスタービンの構成について説明する。図１に示すように、ガスタービン１はガスタービン本体２と、複数の燃焼器３と、回転軸がガスタービン本体１の回転軸に結合された圧縮機４とを有してなるものであり、このガスタービン１に発電機５を備えてガスタービン発電設備が構成されている。発電機５の回転軸もガスタービン本体１の回転軸に結合されている。
【００３３】
従って、圧縮機４で吸気されて圧縮された高圧の圧縮空気とともに燃焼器３で燃料が燃焼され、この燃焼ガスによってガスタービン本体２が回転すると、このガスタービン本体２によって発電機５が回転駆動されて発電する。発電機５の発電電力は図示しない送電系統を介して送電される。ガスタービン本体２で仕事をした後にガスタービン本体２から排出された燃焼ガス（排ガス）は、排気ライン３２を介して図示しないスタックから大気中へ放出される。このガスタービン運転の際に圧縮機４の吸気量は、圧縮機４の入口に設けられた入口案内翼（ＩＧＶ）６の開閉によって調整される。ＩＧＶ６の開閉駆動はＩＧＶ６に備えたサーボモータなどのアクチュエータ７によって行われる。ＩＧＶ６の開度制御（アクチュエータ７の駆動制御）は、図示しないＩＧＶ制御装置によって行われる。
【００３４】
また、各燃焼器３には各燃焼器３に対して圧縮機４で圧縮した空気をバイパスするための燃焼器パイパスライン３１が設けられ、この燃焼器パイパスライン３１には圧縮空気のバイパス流量を調整するための燃焼器バイパス弁８が設けられている。低負荷時には燃料ガスの密度を濃くして燃焼を安定させるために燃焼器バイパス弁８の開度を大きくして圧縮空気のバイパス流量を多くする一方、高負荷時にはＮＯｘ低減などを図るために燃焼器バイパス弁８の開度を小さくして圧縮空気のバイパス流量を少なくすることにより燃料ガスと混合する圧縮空気の量を増やす。また、燃焼器３及びガスタービン本体２に対して圧縮機４で圧縮した空気をバイパスするためのタービンバイパスライン９が、圧縮機４の出口側からガスタービン本体２の出口側（排気ライン３２）に亘って設けられており、このタービンバイパスライン９には圧縮空気のタービンバイパス流量を調整するためのタービンバイパス弁１０が設けられている（ガスタービンバイパス手段）。これは圧縮機４の出口圧力（車室圧力）の調整などのために設けられている。
【００３５】
各燃焼器３は図２に示すような構成となっている。図２に示すように燃焼器３は複数種類の燃料ノズル、即ち、第１燃料ノズルとしてのメインノズル２６と、第２燃料ノズルとしてのパイロットノズル２５と、第３燃料ノズルとしてのトップハットノズル２７とを有している。パイロットノズル２５とメインノズル２６は内筒２８内に設けられ、トップハットノズル２７は内筒２８と外筒２９との間に設けられている。
【００３６】
パイロットノズル２５は燃焼の安定性などを図ることを目的とした拡散燃焼用の燃料ノズルであり、内筒２８の中央部に１体設けられている。メインノズル２６はＮＯｘ低減などを目的としてメイン燃料ガスと圧縮空気とを燃焼部よりも上流側で混合した後に燃焼させる予混合燃焼用の燃料ノズルであり、パイロットノズル２５の周囲に複数体設けられている。トップハットノズル２７は更にＮＯｘ低減を図ることなどを目的としてトップハット燃料ガスと圧縮空気とを、メインノズル２６の場合よりも更に上流側で混合した後に燃焼させる予混合燃焼用の燃料ノズルであり、メインノズル２６よりも更に外周側に複数本設けられている。
【００３７】
そして、図１及び図２に示すように、各燃焼器３のメインノズル２６とパイロットノズル２５とトップハットノズル２７には、図示しない燃料タンクやガス田などに接続された燃料ガス供給ライン１１から分岐されたメイン燃料供給ライン１２と、パイロット燃料供給ライン１３と、トップハット燃料供給ライン１４とがそれぞれ接続されている。メイン燃料供給ライン１には上流側から順にメイン燃料圧力調節弁１６とメイン燃料流量調節弁１７とが設けられ、パイロット燃料供給ライン１３には上流側から順にパイロット燃料圧力調節弁１８とパイロット燃料流量調節弁１９とが設けられ、トップハット燃料供給ライン１４には上流側から順にトップハット燃料圧力調節弁２０とトップハット燃料流量調節弁２１とが設けられている。
【００３８】
メイン燃料供給ライン１２のメインマニホールド２２にはメインマニホールド２２内のメイン燃料ガスの圧力を計測するためのメインマニホールド圧力計ＰＸ１が設けられ、パイロット燃料供給ライン１３のパイロットマニホールド２３にはパイロットマニホールド２３内のパイロット燃料ガスの圧力を計測するためのパイロットマニホールド圧力計ＰＸ２が設けられ、トップハット燃料供給ライン１４のトップハットマニホールド２４にはトップハットマニホールド２４内のトップハット燃料ガスの圧力を計測するためのトップハットマニホールド圧力計ＰＸ３が設けられている。
【００３９】
また、メイン燃料供給ライン１２にはメイン燃料流量調節弁１７の前後のメイン燃料ガス差圧を計測するためのメイン燃料差圧計ＰＤＸ１が設けられ、パイロット燃料供給ライン１３にはパイロット燃料流量調節弁１９の前後のパイロット燃料ガス差圧を計測するためのパイロット燃料差圧計ＰＤＸ２が設けられ、トップハット燃料供給ライン１４にはトップハット燃料流量調節弁２１の前後のトップハット燃料差圧を計測するためのトップハット燃料差圧計ＰＤＸ３が設けられている。
【００４０】
図３に概要を示すように、パイロットマニホールド２３はパイロット燃料供給ライン１３を介して供給されるパイロット燃料ガスを、各燃焼器３のパイロットノズル２５に分配するためのものである。図示は省略するが、メインマニホールド２２も、同様にメイン燃料供給ライン１２を介して供給されるメイン燃料ガスを、各燃焼器３のメインノズル２６に分配するためのものであり、トップハットノズル２４も、同様にトップハット燃料供給ライン１４を介して供給されるトップハット燃料ガスを、各燃焼器３のトップハットノズル２７に分配するためのものである。
【００４１】
また、メイン燃料圧力調節弁１６はメイン燃料差圧計ＰＤＸ１で計測されるメイン燃料流量調節弁１７前後のメイン燃料ガス差圧が一定値となるように調節するためのものであり、パイロット燃料圧力調節弁１８はパイロット燃料差圧計ＰＤＸ２で計測されるパイロット燃料流量調節弁１９前後のパイロット燃料ガス差圧が一定値となるように調節するためのものであり、トップハット燃料圧力調節弁２０はトップハット燃料差圧計ＰＤＸ３で計測されるトップハット燃料流量調節弁２１前後のトップハット燃料差圧が一定値となるように調節するためのものである。
【００４２】
そして、メイン燃料流量調節弁１７はメイン燃料供給ライン１２を介して全燃焼器３のメインノズル２６に供給するメイン燃料ガスの流量を調節するためのものであり、パイロット燃料流量調節弁１９はパイロット燃料供給ライン１３を介して全燃焼器３のパイロットノズル２５に供給するパイロット燃料ガスの流量を調節するためのものであり、トップハット燃料流量調節弁２１はトップハット燃料供給ライン１４を介して全燃焼器３のトップハットノズル２７に供給するトップハット燃料ガスの流量を調節するためのものである。
【００４３】
また、図１に示すように、燃料供給ライン１１には燃料止め弁１５と、燃料ガス温度計Ｔｆとが設けられている。燃料ガス温度計Ｔｆは燃料供給ライン１１を流れる燃料ガスの温度を計測し、この燃料ガス温度の計測信号を、本ガスタービン１に備えたガスタービン燃焼制御装置４１（図４参照）などへ出力する。上記のメインマニホールド圧力計ＰＸ１、パイロットマニホールド圧力計ＰＸ２、トップハットマニホールド圧力計ＰＸ３、メイン燃料差圧計ＰＤＸ１、パイロット燃料差圧計ＰＤＸ２及びトップハット燃料差圧計ＰＤＸ３の計測信号も、ガスタービン燃焼制御装置４１などに出力される。
【００４４】
また、発電機４の送電系統には電力計ＰＷが設けられ、圧縮機４の入口側には吸気温度計Ｔａと、吸気圧力計ＰＸ４と、吸気流量計ＦＸ１とが設けられ、圧縮機４の出口側には車室圧力計ＰＸ５が設けられている。タービンバイパスライン９にはタービンバイパス流量計ＦＸ２が設けられている。排気ライン３２には排ガス温度計Ｔｈが設けられている。
【００４５】
電力計ＰＷは発電機５の発電電力（発電機出力：ガスタービン出力）を計測し、この発電機出力（ガスタービン出力）の計測信号をガスタービン燃焼制御装置４１などに出力する。吸気温度計Ｔａは、圧縮機４の吸気温度（圧縮機４へ流入する大気の温度）を計測し、この吸気温度の計測信号をガスタービン燃焼制御装置４１などへ出力する。吸気圧力計ＰＸ４は、圧縮機４の吸気圧力（圧縮機４へ流入する大気の圧力）を計測し、この吸気圧力の計測信号をガスタービン燃焼制御装置４１などへ出力する。吸気流量計ＦＸ１は、圧縮機１４に流入する吸気の流量を計測し、この吸気流量の計測信号を燃焼制御装置４１などへ出力する。車室圧力計ＰＸ５は、圧縮機４から吐出された圧縮空気の圧力である車室圧力を計測し、この車室圧力の計測信号をガスタービン燃焼制御装置４１などへ出力する。タービンバイパス流量計ＦＸ２は、タービンバイパスライン９を介して流れる圧縮空気のタービンバイパス流量を計測し、このタービンバイパス流量の計測信号をガスタービン燃焼制御装置４１などに出力する。排ガス温度計Ｔｈは、ガスタービン本体２から排出される排ガスの温度を計測し、この排ガス温度の計測信号をガスタービン燃焼制御装置４１などに出力する。
【００４６】
次に、図４〜図３３に基づき、ガスタービン燃焼制御装置４１について説明する。なお、ガスタービン負荷制御装置４１の各処理機能はソフトウェア（コンピュータプログラム）で構成され、コンピュータで実行されるが、これに限定するものではなく、ハードウェアで構成してもよい。
【００４７】
図４に示すように、ガスタービン燃焼制御装置４１では図示しない中央給電センターから送られてくる発電機出力指令値と、図示しないＩＧＶ制御装置から送られてくるＩＧＶ開度指令値とを入力する。なお、発電機出力指令値は中央給電センターから送られてくる場合に限定するものではなく、例えばガスタービン発電設備に設けられた発電機出力設定器によって設定されるものでもあってもよい。また、ここではＣＬＣＳＯ（燃焼負荷指令）の算出に用いるＩＧＶ開度としてＩＧＶ開度指令値を採用しているが、必ずしもこれに限定するものではなく、例えばＩＧＶ開度を計測している場合にはこの計測値を用いてもよい。
【００４８】
更にガスタービン燃焼制御装置４１では、上記のように実測値として電力計ＰＷで計測される発電機出力と、吸気温度計Ｔａで計測される吸気温度と、燃料ガス温度計Ｔｆで計測される燃料ガス温度と、排ガス温度計Ｔｈで計測される排ガス温度と、吸気流量計ＦＸ１で計測される吸気流量と、タービンバイパス流量計ＦＸ２で計測されるタービンバイパス流量と、メインマニホールド圧力計ＰＸ１で計測されるメインマニホールド圧力と、パイロットマニホールド圧力計ＰＸ２で計測されるパイロットマニホールド圧力と、トップハットマニホールド圧力計ＰＸ３で計測されるトップハットマニホールド圧力と、吸気圧力計ＰＸ４で計測される吸気圧力と、車室圧力計ＰＸ５で計測される車室圧力と、メイン燃料差圧計ＰＤＸ１で計測されるメイン燃料ガス差圧と、パイロット燃料差圧計ＰＤＸ２で計測されるパイロット燃料ガス差圧と、トップハット燃料差圧計ＰＤＸ３で計測されるトップハット燃料ガス差圧とを入力する。
【００４９】
そして、ガスタービン燃焼制御装置４１では、これらの入力信号などに基づいてメイン燃料ガス流量制御を行うためのメイン燃料流量調節弁開度指令値と、パイロット燃料ガスパイロット燃料ガス流量制御を行うためのパイロット燃料流量調節弁開度指令値と、トップハット燃料ガス流量制御を行うためのトップハット燃料流量調節弁開度指令値と、燃焼器バイパス流量制御を行うための燃焼器バイパス弁開度指令値とを求める。
【００５０】
図５に基づいてガスタービン燃焼制御装置４１の処理の流れの概要を説明すると、まず、発電機出力と、ＩＧＶ開度指令値と、吸気温度と、吸気流量とタービンバイパス流量との比であるタービンバイパス比（タービンバイパス流量／吸気流量）と、大気圧と標準大気圧との比（大気圧／標準大気圧）である大気圧比とに基づいて、ＣＬＣＳＯを算出する。このＣＬＣＳＯはガスタービン入口燃焼ガス温度（燃焼器３からガスタービン本体２へ流入するガスタービン本体入口の燃料ガスの温度）を無次元化した値、即ちガスタービン入口燃焼ガス温度に比例した値である。そして、このＣＬＣＳＯに基づいて全燃料ガス流量（重量流量）に対するパイロット燃料ガス流量（重量流量）の比率であるパイロット比と、全燃料ガス流量（重量流量）に対するトップハット燃料ガス流量（重量流量）の比率であるトップハット比と、全燃料ガス流量（重量流量）に対するメイン燃料ガス流量（重量流量）の比率であるメイン比とを求める。
【００５１】
続いて、これらのパイロット比とトップハット比とメイン比とに基づいて各重量流量、即ちパイロット燃料ガス流量ＧfPLと、トップハット燃料ガス流量ＧfTHと、メイン燃料ガス流量ＧfMAとをそれぞれ求める。更に、これらのパイロット燃料ガス流量ＧfPLとトップハット燃料ガス流量ＧfTHとメイン燃料ガス流量ＧfMAとに基づいて、パイロット燃料流量調節弁１９のＣｖ値と、トップハット燃料流量調節弁２１９のＣｖ値と、メイン燃料流量調節弁１７のＣｖ値とをそれぞれ求める。そして、これらのパイロット燃料流量調節弁１９のＣｖ値とトップハット燃料流量調節弁２１のＣｖ値とメイン燃料流量調節弁１７のＣｖ値とに基づいて、パイロット燃料流量調節弁開度指令値と、トップハット燃料流量調節弁開度指令値と、メイン燃料流量調節弁開度指令値とをそれぞれ求める。また、燃焼器バイパス弁８に関しても、ＣＬＣＳＯに基づいて燃焼器バイパス弁開度指令値を求める。
【００５２】
次に、ガスタービン燃焼制御装置４１の処理について詳述する。以下では、ガスタービン燃焼制御装置４１の処理に関し、まず、ＣＬＣＳＯを算出するまでの処理について説明し、続いて、このＣＬＣＳＯに基づいて各弁の弁開度指令値を求めるまでの処理について説明する。
【００５３】
（ＣＬＣＳＯの算出）
パイロット比、トップハット比、メイン比及び燃焼器バイパス弁開度を、本来の思想であるガスタービン入口燃焼ガス温度ＴＩＴの関数とするため、ガスタービン入口燃焼ガス温度ＴＩＴを無次元化したＣＬＣＳＯを制御パラメータとする。このためＣＬＣＳＯを算出する。図６に示すようにＣＬＣＳＯはガスタービン入口燃焼ガス温度ＴＩＴと比例関係にあるとする（ＣＬＣＳＯ∝ＴＩＴ）。なお、図示例ではガスタービン入口燃焼ガス温度ＴＩＴが、第１のガスタービン入口燃焼ガス温度としての７００℃であるときに対応するＣＬＣＳＯを０％、ガスタービン入口燃焼ガス温度ＴＩＴが、前記第１のガスタービン入口燃焼ガス温度よりも高温の第２のガスタービン入口燃焼ガス温度としての１５００℃であるときに対応するＣＬＣＳＯを１００％としている。なお、ＣＬＣＳＯを算出するための基準となる第１のガスタービン入口燃焼ガス温度と第２のガスタービン入口燃焼ガス温度は、７００℃と１５００℃に限定するものではなく、適宜、設定することができる。
【００５４】
また、図７に例示するようなＣＬＣＳＯとパイロット比との関係（関数）と、図８に例示するようなＣＬＣＳＯとトップハット比との関係（関数）と、図９に例示するようなＣＬＣＳＯと燃焼器バイパス弁開度指令（ＢＹＣＳＯ）との関係（関数）を予め設定しておく。事前の検討（ガスタービン設計）においてガスタービン入口燃焼ガス温度ＴＩＴと、パイロット比、トップハット比及び燃焼器バイパス弁開度との関係が得られるため、これに基づいて図７〜図９に例示するようなＣＬＣＳＯと、パイロット比、トップハット比及び燃焼器バイパス弁開度指令値（ＢＹＣＳＯ）との関係を設定することができる。そして、算出したＣＬＣＳＯと、図７〜図９に示す関係からパイロット比、トップハット比及び燃焼器バイパス弁開度を求めれば、これらのパイロット比、トップハット比及び燃焼器バイパス弁開度は、ＣＬＣＳＯとガスタービン入口燃焼ガス温度ＴＩＴとが比例関係（ＣＬＣＳＯ∝ＴＩＴ）にあるため、ガスタービン入口燃焼ガス温度ＴＩＴに対して一意に決まることになる。即ち、パイロット比、トップハット比及び燃焼器バイパス弁開度はＣＬＣＳＯ（ガスタービン入口燃焼ガス温度ＴＩＴ）の関数となる。メイン比もパイロット比とトップハット比とに基づいて求めるため（詳細後述）、ＣＬＣＳＯ（ガスタービン入口燃焼ガス温度ＴＩＴ）の関数となる。
【００５５】
ＣＬＣＳＯはガスタービン出力（発電機出力）に基づいて算出する。即ち、図１０に各ＩＧＶ開度におけるガスタービン入口燃焼ガス温度ＴＩＴとガスタービン出力（発電機出力）との関係を示し、図１１に各ＩＧＶ開度における吸気温度とガスタービン出力（発電機出力）との関係を示すように各吸気温度、各ＩＧＶ開度において、ガスタービン入口燃焼ガス温度ＴＩＴはガスタービン出力（発電機出力）に対してリニアとして扱うことができる。そこで、ガスタービン出力（発電機出力）からガスタービン入口燃焼ガス温度ＴＩＴ、即ちＣＬＣＳＯを算出する。
【００５６】
このため、図１２に例示するようなＩＧＶ開度及び吸気温度を考慮し、更にはタービンバイパス比及び大気圧比（気圧／標準大気圧：標準大気圧としては例えばガスタービン設置場所における平均大気圧を用いる）を考慮した発電機出力（ガスタービン出力）とＣＬＣＳＯとの関係（関数）を設定する。
【００５７】
即ち、まず、ガスタービン入口燃焼ガス温度ＴＩＴが第１のガスタービン入口燃焼ガス温度として定めた７００℃ときの発電機出力（ガスタービン出力）である７００℃ＭＷと、ガスタービン入口燃焼ガス温度ＴＩＴが第２のガスタービン入口燃焼ガス温度として定めた１５００℃のときの発電機出力（ガスタービン出力）である１５００℃ＭＷとを設定する。なお、１５００℃はガスタービン設計において燃焼器３やガスタービン本体４の耐熱性などから定めた最高燃焼ガス温度（上限値）であり、この温度を超えないように温度調節されることから、１５００℃ＭＷは温調ＭＷとも称する。これらの７００℃ＭＷ及び１５００℃ＭＷ（温調ＭＷ）は事前の検討（ガスタービン設計）において求めることができる。
【００５８】
そして、図１２に示すように７００℃ＭＷに対するＣＬＣＳＯを０％とし、１５００℃ＭＷに対するＣＬＣＳＯを１００％とする。但し、これらの７００℃ＭＷ及び１５００℃ＭＷは何れも、ＩＧＶ開度、吸気温度、タービンバイパス比及び大気圧比を考慮した値、即ち、あるＩＧＶ開度、吸気温度、タービンバイパス比及び気圧比において、ガスタービン入口燃焼ガス温度ＴＩＴが７００℃のときの発電機出力（ガスタービン出力）と、ガスタービン入口燃焼ガス温度ＴＩＴが１５００℃のときの発電機出力（ガスタービン出力）である。
【００５９】
つまり、図１３に例示するようにＩＧＶ開度（例えば０％（吸気流路が完全に閉じられてはいない）、５０％、１００％）によって発電機出力（ガスタービン出力）とＣＬＣＳＯとの関係は異なり、図１４に例示するように吸気温度（例えば−１０℃、４０℃）によっても発電機出力（ガスタービン出力）とＣＬＣＳＯとの関係は異なり、図１５に例示するようにタービンバイパス比によっても発電機出力（ガスタービン出力）とＣＬＣＳＯとの関係は異なる。また、図示は省略するが、大気圧比（例えば１．０、１．１）によっても発電機出力（ガスタービン出力）とＣＬＣＳＯとの関係は異なる。
【００６０】
このため、ＩＧＶ開度、吸気温度、タービンバイパス比及び大気圧比に応じた１５００℃ＭＷの値を予め設定しておく。下記の表１にはＩＧＶ開度、吸気温度、タービンバイパス比及び大気圧比に応じた１５００℃ＭＷの設定値を例示する。表１の例ではＩＧＶ開度が０％、５０％、１００％の場合、吸気温度が−１０℃、４０℃の場合、及び、タービンバイパス比が１０％の場合の１５００℃ＭＷの値を設定している。これらは事前の検討（ガスタービン設計）において得られる。なお、タービンバイパス比が０％の場合の１５００℃ＭＷは、勿論、ＩＧＶ開度と吸気温度によって決まる値となる。例えばＩＧＶ開度（ＩＧＶ開度指令）が１００％、吸気温度が−１０℃、タービンバイパス比が０％とのときの１５００℃ＭＷは１４０ＭＷであり、ＩＧＶ開度が１００％、吸気温度が−１０℃、タービンバイパス比が１０％とのときの１５００℃ＭＷは１１０ＭＷである。
【００６１】
【表１】
2007077866.tif 000003
【００６２】
なお、ＩＧＶ開度、吸気温度及びタービンバイパス比が表１に示されている値以外の値のとき（例えばＩＧＶ開度が６０％、吸気温度が１０℃、タービンバイパス比が５％とき）には、当該ＩＧＶ開度、吸気温度及びタービンバイパス比に対応する１５００℃ＭＷの値を、表１に示されている１５００℃ＭＷの値から、直線補間（内挿計算）によって算出することができる。
【００６３】
また、このＩＧＶ開度、吸気温度及びタービンバイパス比を考慮した１５００℃ＭＷの値に大気圧比を乗算すれば、大気圧比をも考慮した１５００℃ＭＷの値を算出することができる。
【００６４】
具体的な説明は省略するが、７００℃ＭＷについても、この１５００℃ＭＷの場合と同様にしてＩＧＶ開度、吸気温度、タービンバイパス比及び大気圧比を考慮した値を求めることができる。下記の表２にはＩＧＶ開度、吸気温度、タービンバイパス比及び大気圧比に応じた７００℃ＭＷの設定値を例示する。
【００６５】
【表２】
2007077866.tif 000004
【００６６】
そして、ＩＧＶ開度、吸気温度、タービンバイパス比及び大気圧比を考慮した７００℃ＭＷ及び１５００℃ＭＷの値が決まれば、これらの７００℃ＭＷ及び１５００℃ＭＷの値と、実測値のガスタービン出力（発電機出力）とに基づき、直線補間（内挿計算）の式である下記の（１）式から、ＣＬＣＳＯを算出する。
【数１】
2007077866.tif 000005
【００６７】
図１６に示すＣＬＣＳＯの算出ロジック（燃焼負荷指令算出手段）に基づいて説明すると、まず、第２ガスタービン出力算出手段としての関数発生器５１では、実測値の吸気温度と、ＩＧＶ開度指令値と、除算器５３で実測値の吸気流量（全体の圧縮空気量に相当）と実測値のタービンバイパス流量とを除算して求めたタービンバイパス比（タービンバイパス流量／吸気流量）とに基づいて、第２ガスタービン出力としての１５００℃ＭＷ（温調ＭＷ）の値を算出する。即ち、ＩＧＶ開度、吸気温度及びタービンバイパス比を考慮した１５００℃ＭＷの値を求める。この１５００℃ＭＷの値の算出方法は上記のとおりである。
【００６８】
第１ガスタービン出力算出手段としての関数発生器５２では、前記吸気温度と、前記ＩＧＶ開度指令値と、前記タービンバイパス比とに基づいて、第１ガスタービン出力としての７００℃ＭＷの値を算出する。即ち、ＩＧＶ開度、吸気温度及びタービンバイパス比を考慮した７００℃ＭＷの値を求める。この７００℃ＭＷの値の算出方法も上記のとおり１５００℃ＭＷの場合と同様である。
【００６９】
除算器５４では、実測値の吸気圧力（大気圧）と、シグナルジェネレータ６１で設定された標準大気圧とを除算して、大気圧比（吸気圧力／標準大気圧）を求める。乗算器５５では、関数発生器５１で求めた１５００℃ＭＷの値と、除算器５４で求めた大気圧比とを乗算することにより、大気圧比をも考慮した１５００℃ＭＷの値を求める。乗算器５５で求めた１５００℃ＭＷの値は学習手段としての学習回路６２を介して減算器５７へ出力される。学習回路６２の詳細については後述する。乗算器５６では、関数発生器５２で求めた７００℃ＭＷの値と、除算器５４で求めた大気圧比とを乗算することにより、大気圧比をも考慮した７００℃ＭＷの値を求める。
【００７０】
減算器５７では、乗算器５５で求めた（又は学習回路６２で補正された）１５００℃ＭＷの値から乗算器５６で求めた７００℃ＭＷの値を減算する（１５００℃ＭＷ−７００℃ＭＷ：上記（１）式参照）。減算器５８では、実測値の発電機出力（ガスタービン出力）から乗算器５６で求めた７００℃ＭＷの値を減算する（実測値の発電機出力（ガスタービン出力）−７００℃ＭＷ：上記（１）式参照）。
【００７１】
そして、除算器５９では、減算器５８の減算結果と減算器５７の減算結果とを除算する（上記（１）式参照）。かくして、ＣＬＣＳＯを算出することができる。なお、ＣＬＣＳＯをパーセントで表すには、除算器５９の出力値に１００を掛ければよい。レート設定器６０では、ガスタービン出力（発電機出力）の微小変動などによってＣＬＣＳＯが微小変動することにより、メイン燃料流量調節弁１７などが頻繁に開閉動作を繰り返すことがないようにするため、除算器５９からの入力値を直ぐにＣＬＣＳＯとして出力するのではなく、所定の増減レートに制限して出力する。
【００７２】
ところで、ガスタービン１を長期間運転すると、圧縮機４の圧縮性能の劣化などによるガスタービン１の性能劣化を生じることがあり、これにともなって発電機出力（ガスタービン出力）が低下してくる。即ち、このときにはガスタービン入口燃焼ガス温度ＴＩＴが１５００℃になっても、発電機出力（ガスタービン出力）は図１０に例示するような所定（例えば定格）の発電機出力（ガスタービン出力）にはならない。その結果、ＣＬＣＳＯも低下してＣＬＣＳＯとガスタービン入口燃焼ガス温度ＴＩＴとの関係がずれてしまい、ガスタービン入口燃焼ガス温度ＴＩＴとパイロット比、トップハット比、メイン比及び燃焼器バイパス弁開度との関係もずれてしまう。従って、このときにはＣＬＣＳＯを算出するための１５００℃ＭＷ（温調ＭＷ）の値も低下させる必要がある。
【００７３】
そこで、ガスタービン燃焼制御装置４１では、ＣＬＣＳＯの算出ロジックに更に図１７に示すような１５００℃ＭＷ（温調ＭＷ）の学習回路６２も備えている。
【００７４】
学習回路６２では、まず、１５００℃ＭＷ（温調ＭＷ）の学習を開始する前に発電機出力（ガスタービン出力）の低下がガスタービン１の特性劣化によるものか否かの判断するため、ガスタービン入口燃焼ガス温度ＴＩＴが最高燃焼ガス温度（１５００℃）に達したか否かを判断する。即ち、ガスタービン入口燃焼ガス温度ＴＩＴが最高燃焼ガス温度（１５００℃）のとき、圧縮機４の圧力比（圧縮機４の入口側圧力と出口側圧力との比）と排ガス温度との間には図１８に示すような関係がある。従って、学習回路６２では、実測値の吸気圧力と実測値の車室圧力とから得られる圧縮機４の圧力比（車室圧力／吸気圧力）と、実測値の排ガス温度とを監視して、これらの圧力比と排ガス温度が図１８に示す関係になったときにガスタービン入口燃焼ガス温度ＴＩＴが最高燃焼ガス温度（１５００℃）に達したと判断して、学習を開始する。
【００７５】
このとき学習回路６２では、まず、減算器（偏差演算器）６３において、図１６のＣＬＣＳＯ算出ロジックにおける乗算器５５から入力する大気圧比補正後の１５００℃ＭＷ（温調ＭＷ）と、実測値のガスタービン出力（発電機出力）との偏差（発電機出力−１５００℃ＭＷ）を求める。ＰＩ（比例・積分）制御器６４では、減算器（偏差演算器）６３で求めた偏差を比例・積分演算することにより、補正係数を求める。ＬＯＷリミッタ６５では、ＰＩ制御器６４で演算される補正係数（０〜１）を０．９５〜１の範囲に制限する。このような補正係数の制限範囲を設けているのは、通常のガスタービン１の性能劣化によって考えられる発電機出力（ガスタービン出力）の低下量を考慮したものであり、ガスタービン１の異常な出力低下によって過剰な補正をするのを防ぐためである。乗算器６６では、前記補正係数と乗算器５５から入力した１５００℃ＭＷ（温調ＭＷ）とを乗算し、この乗算結果を減算器（偏差演算器）６３へ出力する。
【００７６】
このような処理が行われることにより、１５００℃ＭＷ（温調ＭＷ）の値が実測値のガスタービン出力（発電機出力）の値に一致するように補正される。そして、この補正後の１５００℃ＭＷ（温調ＭＷ）の値を、ＣＬＣＳＯの計算に使用するために図１６のＣＬＣＳＯ算出ロジックにおける減算器５７へ出力する。なお、低値選択器６７では、補正後の１５００℃ＭＷ（温調ＭＷ）と、シグナルジェネレータ６８に設定されている定格の発電機出力（ガスタービン出力）の何れか低値を選択して、モニタ表示などのために出力する。
【００７７】
（ＣＬＣＳＯに基づく各弁の弁開度指令値の算出）
続いて、上記のＣＬＣＳＯに基づいて各弁の開度指令値を求めるまでの処理について説明する。
【００７８】
まず、図１９に基づき、燃焼器バイパス弁開度指令値（ＢＹＣＳＯ）の算出ロジックについて説明する。関数発生器７１では、図９に例示すような予め設定されたＣＬＣＳＯと燃焼器バイパス弁開度指令値（ＢＹＣＳＯ）との関数に基づき、ＣＬＣＳＯ算出ロジックで求めたＣＬＣＳＯに対応するＢＹＣＳＯを求める。
【００７９】
また、本算出ロジックでは、この燃焼器バイパス弁開度指令値に対してＣＬＣＳＯに基づく補正と吸気温度に基づく補正とを行う。即ち、関数発生器７２では、事前の検討（ガスタービン設計）により設定した図２０に例示するようなＣＬＣＳＯと補正の重み付けとの関数に基づき、ＣＬＣＳＯ算出ロジックで求めたＣＬＣＳＯに対応する補正の重み付けの値を求める。関数発生器７３では、事前の検討（ガスタービン設計）により設定した図２１に例示するような吸気温度と補正係数との関数に基づき、実測値の吸気温度に対応する補正係数を求める。乗算器７４では、関数発生器７２で求めたＣＬＣＳＯに基づく補正の重み付けの値と、関数発生器７３で求めた吸気温度に基づく補正係数とを乗算することより、吸気温度補正量を求める。減算器７５では、関数発生器７１で求めたＢＹＣＳＯから、乗算器７４で求めた吸気温度補正量を減算することにより、ＢＹＣＳＯの吸気温度補正を行う。即ち、関数発生器７２，７３、乗算器７４及び減算器７５は吸気温度補正手段を構成している。
【００８０】
このような吸気温度によるＢＹＣＳＯの補正を行うのは、ＣＬＣＳＯ（ガスタービン入口燃焼ガス温度）だけでＢＹＣＳＯを決定する場合に比べて、吸気温度の変化に対する燃焼制御をより適切に行うためである。但し、低負荷（低ガスタービン出力）のときにはＢＹＣＳＯに対する吸気温度補正量を比較的大きくしても問題はないが、高負荷（高ガスタービン出力）のときには僅かなＢＹＣＳＯの変化でも燃焼状態が大きく変化してしまうため、ＢＹＣＳＯに対する吸気温度補正量を僅かにする必要がある。このため、上記のようにＣＬＣＳＯ（即ちガスタービン出力）に応じて補正の重み付けを決定し、この重み付けの値に吸気温度から求めた補正係数を掛けることによって、ＣＬＣＳＯに応じた適切なＢＹＣＳＯの吸気温度補正量を決定している。
【００８１】
そして、ガスタービン燃焼制御装置４１では、本算出ロジックで求めたＣＬＣＳＯに基づいて、燃焼器バイパス弁８の開度を制御することにより燃焼器３に対する圧縮空気のバイパス流量を制御する。
【００８２】
次に、図２２に基づき、パイロット燃料流量指令値（ＰＬＣＳＯ）の算出ロジック（燃料流量指令設定手段）について説明する。関数発生器８１では、図７に例示すような予め設定されたＣＬＣＳＯとパイロット比との関数に基づき、ＣＬＣＳＯ算出ロジックで求めたＣＬＣＳＯに対応するパイロット比を求める。
【００８３】
また、本算出ロジックでも、このパイロット比に対してＣＬＣＳＯに基づく補正と吸気温度に基づく補正とを行う。即ち、関数発生器８２では、事前の検討（ガスタービン設計）により設定した図２０に例示するようなＣＬＣＳＯと補正の重み付けとの関数に基づき、ＣＬＣＳＯ算出ロジックで求めたＣＬＣＳＯに対応する補正の重み付けの値を求める。関数発生器８３では、事前の検討（ガスタービン設計）により設定した図２１に例示するような吸気温度と補正係数との関数に基づき、実測値の吸気温度に対応する補正係数を求める。乗算器８４では、関数発生器８２で求めたＣＬＣＳＯに基づく補正の重み付けの値と、関数発生器８３で求めた吸気温度に基づく補正係数とを乗算することより、吸気温度補正量を求める。減算器８５では、関数発生器８１で求めたパイロット比から、乗算器８４で求めた吸気温度補正量を減算することにより、パイロット比の吸気温度補正を行う。即ち、関数発生器８２，８３、乗算器８４及び減算器８５は吸気温度補正手段を構成している。
【００８４】
このような吸気温度によるパイロット比の補正を行うのは、ＣＬＣＳＯ（ガスタービン入口燃焼ガス温度）だけでパイロット比を決定する場合に比べて、吸気温度の変化に対する燃焼制御をより適切に行うためである。但し、低負荷（低ガスタービン出力）のときにはパイロット比に対する吸気温度補正量を比較的大きくしても問題はないが、高負荷（高ガスタービン出力）のときには僅かなパイロット比の変化でも燃焼状態が大きく変化してしまうため、パイロット比に対する吸気温度補正量を僅かにする必要がある。このため、上記のようにＣＬＣＳＯ（即ちガスタービン出力）に応じて補正の重み付けを決定し、この重み付けの値に吸気温度から求めた補正係数を掛けることによって、ＣＬＣＳＯに応じた適切なパイロット比の吸気温度補正量を決定している。
【００８５】
そして、乗算器８６では、全燃料流量指令値（ＣＳＯ）と、減算器８５で求めたパイロット比とを乗算して、ＰＬＣＳＯを算出する。全燃料流量指令値（ＣＳＯ）は燃焼器３へ供給する全燃料ガス流量（重量流量）Ｇfに比例した値である（ＣＳＯ∝Ｇf）。従って、ＰＬＣＳＯはパイロット燃料ガス流量ＧfPLに比例した値である。
【００８６】
なお、全燃料流量指令値（ＣＳＯ）は、事前の検討（ガスタービン設計）により予め設定されている発電機出力指令値とＣＳＯ（即ち全燃料ガス流量Ｇｆ）との関係に基づいて設定される。即ち、ガスタービン燃焼制御装置４１では、全燃料流量指令値（ＣＳＯ）を、中央給電センターなどで設定された発電機出力指令値から、予め設定した発電機出力指令値とＣＳＯとの関係（関数）に基づいて設定する。但し、ガスタービン燃焼制御装置４１では、図示しない制御部において実測値の発電機出力が発電機出力指令値に一致するように全燃料流量指令値（ＣＳＯ）を調整する。例えば、実測値の発電機出力と発電機出力指令値との偏差をＰＩ制御器で比例・積分演算をすることにより、実測値の発電機出力が発電機出力指令値に一致するように全燃料流量指令値（ＣＳＯ）を調整する。
【００８７】
次に、図２３に基づき、トップハット燃料流量指令値（ＴＨＣＳＯ）の算出ロジック（燃料流量指令設定手段）について説明する。関数発生器９１では、図８に例示すような予め設定されたＣＬＣＳＯとトップハット比との関数に基づき、ＣＬＣＳＯ算出ロジックで求めたＣＬＣＳＯに対応するトップハット比を求める。
【００８８】
また、本算出ロジックでも、このトップハット比に対してＣＬＣＳＯに基づく補正と吸気温度に基づく補正とを行う。即ち、関数発生器９２では、事前の検討（ガスタービン設計）により設定した図２０に例示するようなＣＬＣＳＯと補正の重み付けとの関数に基づき、ＣＬＣＳＯ算出ロジックで求めたＣＬＣＳＯに対応する補正の重み付けの値を求める。関数発生器９３では、事前の検討（ガスタービン設計）により設定した図２１に例示するような吸気温度と補正係数との関数に基づき、実測値の吸気温度に対応する補正係数を求める。乗算器９４では、関数発生器９２で求めたＣＬＣＳＯに基づく補正の重み付けの値と、関数発生器９３で求めた吸気温度に基づく補正係数とを乗算することにより、吸気温度補正量を求める。減算器９５では、関数発生器９１で求めたトップハット比から、乗算器９４で求めた吸気温度補正量を減算することにより、トップハット比の吸気温度補正を行う。即ち、関数発生器９２，９３、乗算器９４及び減算器９５は吸気温度補正手段を構成している。
【００８９】
このような吸気温度によるトップハット比の補正を行うのは、ＣＬＣＳＯ（ガスタービン入口燃焼ガス温度）だけでトップハット比を決定する場合に比べて、吸気温度の変化に対する燃焼制御をより適切に行うためである。但し、低負荷（低ガスタービン出力）のときにはトップハット比に対する吸気温度補正量を比較的大きくしても問題はないが、高負荷（高ガスタービン出力）のときには僅かなトップハット比の変化でも燃焼状態が大きく変化してしまうため、トップハット比に対する吸気温度補正量を僅かにする必要がある。このため、上記のようにＣＬＣＳＯ（即ちガスタービン出力）に応じて補正の重み付けを決定し、この重み付けの値に吸気温度から求めた補正係数を掛けることによって、ＣＬＣＳＯに応じた適切なトップハット比の吸気温度補正量を決定している。なお、この場合、詳細は後述するが、メイン比も、パイロット比とトップハット比に基づいて算出するため、吸気温度補正されることになる。
【００９０】
乗算器９６では、ＣＳＯと、減算器９５で求めたトップハット比とを乗算して、ＴＨＣＳＯを算出する。ＴＨＣＳＯはトップハット燃料ガス流量（重量流量）ＧfTHに比例している。
【００９１】
次に、図２４に基づき、各流量調節弁開度指令値の算出ロジックについて説明する。
【００９２】
まず、パイロット燃料流量調節弁開度指令値の算出ロジックについて説明すると、関数発生器１０１では、図２５に例示するようなＰＬＣＳＯとパイロット燃料ガス流量ＧfPLとの関数に基づき、前述のようにＰＬＣＳＯ算出ロジックの乗算器８６で求めたＰＬＣＳＯに対応するパイロット燃料ガス流量ＧfPLの値を算出する（燃流流量設定手段）。即ち、ＰＬＣＳＯを重量流量Ｑに変換する。ＰＬＣＳＯとパイロット燃料ガス流量ＧfPLとの関数（比例関係）は事前の検討（ガスタービン設計）により予め設定しておく。
【００９３】
続いて、次のＣｖ値計算式である下記の（２）式に基づいてパイロット燃料流量調節弁１９のＣｖ値を算出する。
【数２】
2007077866.tif 000006
【００９４】
（２）式において、ｔはパイロット燃料流量調節弁１９を流れるパイロット燃料ガスの温度であり、このパイロット燃料ガス温度として燃料ガス温度計Ｔｆの計測値を用いる。γは空気に対するガス密度比であり、予め設定しておく。Ｇはパイロット燃料流量調節弁１９を流れるパイロット燃料ガス流量（重量流量）であり、このパイロット燃料ガス流量として関数発生器１０１で求めたパイロット燃料ガス流量ＧfPLを用いる。ａはパイロット燃料ガス流量Ｇを１５．６℃、１ａｔａにおける体積流量（ｍ3／ｈ）に換算するための係数であり、予め設定しておく。なお、γHは標準状態のガス密度である。
【００９５】
また、（２）式において、Ｐ2はパイロット燃料流量調節弁１９の後圧（下流側圧力）であり、この後圧としてパイロットマニホールド圧力計ＰＸ２の計測値又は補正値（詳細後述）を用いる。Ｐ1はパイロット燃料流量調節弁１９の前圧（上流側圧力）であり、この前圧としてパイロットマニホールド圧力計ＰＸ２の計測値にパイロット燃料流量調節弁１９の前後差圧（例えば４ｋｇ／ｃｍ2）を加えた値を用いる。この前後差圧はパイロット燃料圧力調節弁１８によって一定値になるように調節されている。なお、これに限定するものではなく、前後差圧としてパイロット燃料差圧計ＰＤＸ２の計測値を用いてもよく、また、パイロット燃料流量調節弁１８の前圧を圧力計で計測している場合には当該計測値をＰ1の値として用いてもよい。
【００９６】
算出ロジックに基づいて説明すると、関数発生器１０２では、実測値又は圧力補正手段としてのマニホールド圧力補正ロジック１３０（詳細後述）による補正値のパイロットマニホールド圧力（後圧Ｐ2として用いる）に基づいて、下記の（３）式の計算を行う。
【数３】
2007077866.tif 000007
【００９７】
関数発生器１０３では、燃料温度補正手段としての燃料ガス温度補正ロジック１２０（詳細後述）を介して入力した実測値又は一定値の燃料ガス温度（パイロット燃料ガス温度ｔとして用いる）に基づいて下記の（４）式の計算を行う。
【数４】
2007077866.tif 000008
【００９８】
乗算器１０４では、関数発生器１０１で求めたパイロット燃料ガス流量ＧfPL（パイロット燃料ガス流量Ｇとして用いる）と、関数発生器１０２の計算結果と、関数発生器１０３の計算結果とを乗算する。かくして、上記（２）式の計算を行ったことになり、パイロット燃料流量調節弁１９のＣｖ値が得られる（Ｃｖ値設定手段）。関数発生器１０５では、事前の検討（調節弁の仕様）により予め設定した図２６に例示するようなパイロット燃料流量調節弁開度とＣｖ値との関数に基づき、乗算器１０４で求めたパイロット燃料流量調節弁１９のＣｖ値に対応するパイロット燃料流量調節弁開度を求め、これをパイロット燃料流量調節弁開度指令値として出力する（燃料流量調整弁開度指令設定手段）。
【００９９】
そして、ガスタービン燃焼制御装置４１では、本算出ロジックで求めたパイロット燃料流量調節弁開度指令値に基づいて、パイロット燃料流量調節弁１９の開度を制御することにより、パイロット燃料ガス流量を制御する。
【０１００】
トップハット燃料流量調節弁開度指令値の算出ロジックについて説明すると、関数発生器１０６では、図２７に例示するようなＴＨＣＳＯとトップハット燃料ガス流量ＧfTHとの関数に基づき、前述のようにＴＨＣＳＯ算出ロジックの乗算器９６で求めたＴＨＣＳＯに対応するトップハット燃料ガス流量ＧfTHの値を算出する（燃料流量設定手段）。即ち、ＴＨＣＳＯを流量Ｑに変換する。ＴＨＣＳＯとトップハット燃料ガス流量ＧfTHとの関数（比例関係）は事前の検討（ガスタービン設計）により予め設定しておく。
【０１０１】
続いて、上記（２）式（Ｃｖ値計算式）に基づいてトップハット燃料流量調節弁２１のＣｖ値を算出する。但し、この場合には上記（２）式において、ｔはトップハット燃料流量調節弁２１を流れるトップハット燃料ガスの温度であり、このトップハット燃料ガス温度として燃料ガス温度計Ｔｆの計測値を用いる。Ｇはトップハット燃料流量調節弁２１を流れるトップハット燃料ガス流量（重量流量）であり、このトップハット燃料ガス流量として関数発生器１０６で求めたトップハット燃料ガス流量ＧfTHを用いる。ａはトップハット燃料ガス流量Ｇを１５．６℃、１ａｔａにおける体積流量（ｍ3／ｈ）に換算するための係数である。
【０１０２】
また、上記（２）式において、Ｐ2はトップハット燃料流量調節弁２１の後圧（下流側圧力）であり、この後圧としてトップハットマニホールド圧力計ＰＸ３の計測値又は補正値（詳細後述）を用いる。Ｐ1はトップハット燃料流量調節弁２１の前圧（上流側圧力）であり、この前圧としてトップハットマニホールド圧力計ＰＸ３の計測値にトップハット燃料流量調節弁２１の前後差圧（例えば４ｋｇ／ｃｍ2）を加えた値を用いる。この前後差圧はトップハット燃料圧力調節弁２０によって一定値になるように調節されている。なお、これに限定するものではなく、前後差圧としてトップハット燃料差圧計ＰＤＸ３の計測値を用いてもよく、また、トップハット燃料流量調節弁２１の前圧を圧力計で計測している場合には当該計測値をＰ1の値として用いてもよい。
【０１０３】
算出ロジックに基づいて説明すると、関数発生器１０７では、実測値又は圧力補正手段としてのマニホールド圧力補正ロジック１４０（詳細後述）による補正値のトップハットマニホールド圧力（後圧Ｐ2として用いる）に基づいて下記の上記（３）式の計算を行う。関数発生器１０３では、実測値の燃料ガス温度（トップハット燃料ガス温度ｔとして用いる）に基づいて上記（４）式の計算を行う（パイロット燃料流量調節弁１９のＣｖ値算出の場合と共通）。
【０１０４】
乗算器１０９では、関数発生器１０６で求めたトップハット燃料ガス流量ＧfTH（トップハット燃料ガス流量Ｇとして用いる）と、関数発生器１０７の計算結果と、関数発生器１０３の計算結果とを乗算する。かくして、上記（２）式の計算を行ったことになり、トップハット燃料流量調節弁２１のＣｖ値が得られる（Ｃｖ値算出手段）。関数発生器１１０では、事前の検討（調節弁の仕様）により予め設定した図２６に例示するようなトップハット燃料流量調節弁開度とＣｖ値との関数に基づき、乗算器１０９で求めたトップハット燃料流量調節弁２１のＣｖ値に対応するトップハット燃料流量調節弁開度を求め、これをトップハット燃料流量調節弁開度指令値として出力する（燃料流量調整弁開度指令設定手段）。
【０１０５】
そして、ガスタービン燃焼制御装置４１では、本算出ロジックで求めたトップハット燃料流量調節弁開度指令値に基づいて、トップハット燃料流量調節弁２１の開度を制御することにより、トップハット燃料ガス流量を制御する。
【０１０６】
メイン燃料流量調節弁開度指令値の算出ロジックについて説明すると、加算器１１１では、ＰＬＣＳＯ算出ロジックの乗算器８６で求めたＰＬＣＳＯとＴＨＣＳＯ算出ロジックの乗算器９６で求めたＴＨＣＳＯとを加算（ＰＬＣＳＯ＋ＴＨＣＳＯ）する。減算器１１２では、ＣＳＯから加算器１１１の加算結果を減算（ＭＡＣＳＯ＝ＣＳＯ−ＰＬＣＳＯ−ＴＨＣＳＯ）することより、メイン燃料流量指令値（ＭＡＣＳＯ）を算出する（燃料流量指令設定手段）。ＭＡＣＳＯはメイン燃料ガス流量ＧfMAに比例している。
【０１０７】
関数発生器１１３では、図２８に例示するようなＭＡＣＳＯとメイン燃料ガス流量ＧfMAとの関数に基づき、減算器１１２で求めたＭＡＣＳＯに対応するメイン燃料ガス流量ＧfMAの値を算出する（燃料流量設定手段）。即ち、ＭＡＣＳＯを流量Ｑに変換する。ＭＡＣＳＯとメイン燃料ガス流量ＧfMAとの関数（比例関係）は事前の検討（ガスタービン設計）により予め設定しておく。
【０１０８】
続いて、上記（２）式（Ｃｖ値計算式）に基づいてメイン燃料流量調節弁１７のＣｖ値を算出する。但し、この場合には上記（２）式において、ｔはメイン燃料流量調節弁１７を流れるメイン燃料ガスの温度であり、このメイン燃料ガス温度として燃料ガス温度計Ｔｆの計測値を用いる。Ｇはメイン燃料流量調節弁１７を流れるメイン燃料ガス流量（重量流量）であり、このメイン燃料ガス流量として関数発生器１１３で求めたメイン燃料ガス流量ＧfMAを用いる。ａはメイン燃料ガス流量Ｇを１５．６℃、１ａｔａにおける体積流量（ｍ3／ｈ）に換算するための係数である。
【０１０９】
また、上記（２）式において、Ｐ2はメイン燃料流量調節弁１７の後圧（下流側圧力）であり、この後圧としてメインマニホールド圧力計ＰＸ１の計測値又は補正値（詳細後述）を用いる。Ｐ1はメイン燃料流量調節弁１７の前圧（上流側圧力）であり、この前圧としてメインマニホールド圧力計ＰＸ１の計測値にメイン燃料流量調節弁１７の前後差圧（例えば４ｋｇ／ｃｍ2）を加えた値を用いる。この前後差圧はメイン燃料圧力調節弁１６によって一定値になるように調節されている。なお、これに限定するものではなく、前後差圧としてメイン燃料差圧計ＰＤＸ１の計測値を用いてもよく、また、メイン燃料流量調節弁１７の前圧を圧力計で計測している場合には当該計測値をＰ1の値として用いてもよい。
【０１１０】
算出ロジックに基づいて説明すると、関数発生器１１４では、実測値又は圧力補正手段としてのマニホールド圧力補正ロジック１５０（詳細後述）による補正値のメインマニホールド圧力（後圧Ｐ2として用いる）に基づいて下記の上記（３）式の計算を行う。関数発生器１０３では、実測値の燃料ガス温度（メイン燃料ガス温度ｔとして用いる）に基づいて上記（４）式の計算を行う（パイロット燃料流量調節弁１９のＣｖ値算出の場合と共通）。
【０１１１】
乗算器１１５では、関数発生器１１３で求めたメイン燃料ガス流量ＧfMA（メイン燃料ガス流量Ｇとして用いる）と、関数発生器１１４の計算結果と、関数発生器１０３の計算結果とを乗算する。かくして、上記（２）式の計算を行ったことになり、メイン燃料流量調節弁１７のＣｖ値が得られる（Ｃｖ値算出手段）。関数発生器１１６では、事前の検討（調節弁の仕様）により予め設定した図２６に例示するようなメイン燃料流量調節弁開度とＣｖ値との関数に基づき、乗算器１１５で求めたメイン燃料流量調節弁１７のＣｖ値に対応するメイン燃料流量調節弁開度を求め、これをメイン燃料流量調節弁開度指令値として出力する（燃料流量調整弁開度指令設定手段）。
【０１１２】
そして、ガスタービン燃焼制御装置４１では、本算出ロジックで求めたメイン燃料流量調節弁開度指令値に基づいて、メイン燃料流量調節弁１７の開度を制御することにより、メイン燃料ガス流量を制御する。
【０１１３】
次に、計器異常時の補正ロジックである燃料ガス温度補正ロジックと、マニホールド圧力補正ロジックとについて説明する。
【０１１４】
まず、図２９に基づき、燃料ガス温度補正ロジックについて説明する。実測値の燃料ガス温度を、むだ時間設定器１２２と、切替器１２３とにそれぞれ入力する。但し、燃料ガス温度計Ｔｆが複数台設置（多重化）されている場合には、低値選択器１２１を介して実測値の燃料ガス温度を入力する。低値選択器１２１では、複数（図示例では２台）の燃料ガス温度計Ｔｆの計測値うちの何れか低いほうの値を選択して出力する。
【０１１５】
むだ時間設定器１２２では、燃料ガス温度計Ｔｆから入力した実測値の燃料ガス温度を、当該実測値を入力してから所定のむだ時間Ｌが経過した後に出力する。切替器１２３では、通常、断線などによる燃料ガス温度計Ｔｆの異常を検知する計器異常検知装置（図示せず）から計器異常信号を入力しないときには、燃料ガス温度計Ｔｆから入力する（むだ時間設定器１２２を介さずに直接入力する）実測値の燃料ガス温度を出力する。一方、切替器１２３では、前記計器異常信号を入力したときには、むだ時間設定器１２２側に切り替えて、このむだ時間設定器１２２から入力する値を出力する。なお、前記計器異常信号による切り替え以後も、むだ時間設定器１２２の出力値は入力値に応じて変化し得るが、切替器１２３では、前記計器異常信号による切り替え時点において、むだ時間設定器１２２から入力した燃料ガス温度の値をホールドして出力しつづけるようにする。即ち、前記計器異常信号による切り替え以後は、一定値の燃料ガス温度が切替器１２３から出力される。
【０１１６】
切替器１２３の出力は第１の一次遅れ演算手段としての一次遅れ演算器１２４と、第２の一次遅れ演算手段としての一次遅れ演算器１２５とにそれぞれ入力される。減レート用の一次遅れ時定数１２５に設定した一次遅れ時定数は、増レート用の一次遅れ演算器１２４に設定した一次遅れ時定数よりも小さい。一次遅れ演算器１２４では切替器１２３から入力する燃料ガス温度を一次遅れ演算し、一次遅れ演算器１２５でも切替器１２３から入力する燃料ガス温度を一次遅れ演算する。そして、低値選択器１２６では、一次遅れ演算器１２４の演算結果と一次遅れ演算器１２５の演算結果の何れか小さいほうの値を選択して出力する。
【０１１７】
レート付き切替器１２７では、図示しないガスタービン回転数検出装置から定格速度（定格回転数）到達信号を入力しないとき（即ちガスタービン１が昇速中のとき）にはシグナルジェネレータ１２８に設定されている一定値の燃料ガス温度を選択して、図２４の流量調節弁開度指令値算出ロジックの関数発生器１０３へ出力する一方、前記定格速度到達信号を入力したときには低値選択器１２６の出力を選択して同算出ロジックの関数発生器１０３へ出力する。なお、燃料ガス温度の急激な変動を防止するため、レート付き切替器１２７では選択信号をシグナルジェネレータ１２８の出力から低値選択器１２６の出力に切り替えるとき又はその逆のときに所定のレートで出力を増減させる。
【０１１８】
次に、マニホールド圧力補正ロジックについて説明する。このマニホールド圧力の補正は前述のようにパイロットマニホールド圧力、トップハットマニホールド圧力及びメインマニホールド圧力のそれぞれに対して行う（図２４のマニホールド圧力補正ロジック１３０，１４０，１５０参照）が、これらのマニホールド圧力補正ロジック１３０，１４０，１５０は同様のものであるため、ここでは個別の図示及び説明は省略し、図３１〜図３３に基づいてこれらのマニホールド圧力補正ロジック１３０，１４０，１５０の処理内容をまとめて説明する。
【０１１９】
図３０に示すように、切替器１６１では、通常、断線などによるパイロットマニホールド圧力計ＰＸ２（或いはトップハットマニホールド圧力計ＰＸ３又はメイン燃料差圧計ＰＤＸ１）の異常を検知する計器異常検知装置（図示せず）から計器異常信号を入力しないときには、パイロットマニホールド圧力計ＰＸ２（或いはトップハットマニホールド圧力計ＰＸ３又はメイン燃料差圧計ＰＤＸ１）から入力する実測値のパイロットマニホールド圧力（或いはトップハットマニホールド圧力又はメインマニホールド圧力）を変化レート設定器１６２へ出力する。一方、切替器１６１では、前記計器異常信号を入力したときには、圧力算出手段としてのマニホールド圧力算出ロジック１６３側に切り替えて、このマニホールド圧力算出ロジック１６３から入力するパイロットマニホールド圧力（或いはトップハットマニホールド圧力又はメインマニホールド圧力）の計算値を変化レート設定器１６２へ出力する。
【０１２０】
変化レート設定器１６２では、事前の検討（ガスタービン設計）により予め設定された図３１に例示するよう発電機出力（なガスタービン出力）と変化レートの関数と、発電機出力（ガスタービン出力）の実測値又は指令値とに基づいて変化レートを設定し、当該変化レートに基づき、切替器１６１から入力して図２４の流量調節弁開度指令値算出ロジックの関数発生器１０２（或いは関数発生器１０７又は関数発生器１１４）へ出力する実測値又は計算値のパイロットマニホールド圧力（或いはトップハットマニホールド圧力又はメインマニホールド圧力）の増減率を制限する。
【０１２１】
マニホールド圧力算出ロジック１６３ではパイロットマニホールド圧力（或いはトップハットマニホールド圧力又はメインマニホールド圧力）を、非チョークの場合には非チョーク用のＣｖ値計算式である下記の（５）式を変形して得られる下記の（６）式に基づいて算出し、チョークの場合にはチョーク用のＣｖ値計算式である下記の（７）式を変形して得られる下記の（８）式に基づいて算出する。
【０１２２】
【数５】
2007077866.tif 000009
【０１２３】
（５）式及び（６）式において、Ｃｖはパイロットノズル２５（或いはトップハットノズル２７又はメインノズル２６）のＣｖ値であり、このＣｖ値として予め設定した一定値又は学習回路（詳細後述）で補正した補正値を用いる。ｔはパイロットノズル２５（或いはトップハットノズル２７又はメインノズル２６）から噴射するパイロット燃料ガス（或いはトップハット燃料ガス又はメイン燃料ガス）の温度であり、これらの燃料ガス温度として燃料ガス温度計Ｔｆの計測値を用いる。γは空気に対するガス密度比であり、予め設定しておく。
【０１２４】
Ｇはパイロットノズル２５（或いはトップハットノズル２７又はメインノズル２６）から噴射されるパイロット燃料ガスの流量（重量流量）（或いはトップハット燃料ガスの流量（重量流量）又はメイン燃料ガスの流量（重量流量））であり、これらの燃料ガス流量として図２４の流量調節弁開度指令値算出ロジックにおける関数発生器１０１で求めたパイロット燃料ガス流量ＧfPL（或いは関数発生器１０６で求めたトップハット燃料ガス流量ＧfTH又は関数発生器１１３で求めたメイン燃料ガス流量ＧfMA）を用いる。
【０１２５】
但し、パイロット燃料ガス流量ＧfPL（或いはトップハット燃料ガス流量ＧfTH又はメイン燃料ガス流量ＧfMA）は全体的なパイロット燃料ガス流量（或いは全体的なトップハット燃料ガス流量又は全体的なメイン燃料ガス流量）であり、これを各パイロットノズル２５（或いは各トップハットノズル２７又は各メインノズル２６）に分配したものが各パイロットノズル２５（或いは各トップハットノズル２７又は各メインノズル２６）における燃料ガス流量である。従って、パイロット燃料ガス流量ＧfPL（或いはトップハット燃料ガス流量ＧfTH又はメイン燃料ガス流量ＧfMA）をパイロットノズル２５（或いはトップハットノズル２７又はメインノズル２６）の数で割った値を、各パイロットノズル２５（或いは各トップハットノズル２７又は各メインノズル２６）におけるパイロット燃料ガス流量（或いはトップハット燃料ガス流量又はメイン燃料ガス流量）Ｇとして用いる。ａはこれらの燃料ガス流量Ｇを１５．６℃、１ａｔａにおける体積流量（ｍ3／ｈ）に換算するための係数であり、予め設定しておく。なお、γHは標準状態のガス密度である。
【０１２６】
また、（５）式及び（６）式において、Ｐ3はパイロットノズル２５（或いはトップハットノズル２７又はメインノズル２６）の後圧（下流側圧力）であり、この後圧として車室圧力計ＰＸ５の計測値を用いる（図３参照）。Ｐ2はパイロットノズル２５（或いはトップハットノズル２７又はメインノズル２６）の前圧（上流側圧力）、即ちパイロットマニホールド圧力（或いはトップハットマニホールド圧力又はメインマニホールド圧力）である。
【０１２７】
図３２の算出ロジックに基づいて説明すると、乗算器１６４では、シグナルジェネレータ１６５に予め設定されているパイロットノズル２５（或いはトップハットノズル２７又はメインノズル２６）のＣｖ値（一定値）に学習手段としての学習回路１６６で算出した補正係数（詳細後述）を乗算する。関数発生器１６７では、実測値の燃料ガス温度（パイロット燃料ガス温度ｔ、或いはトップハット燃料ガス温度ｔ又はメイン燃料ガス温度ｔとして用いる）に基づき、下記の（９）式の計算を行う。乗算器１６８では、上記のように図２４の流量調節弁開度指令値算出ロジックにおける関数発生器１０１で求めたパイロット燃料ガス流量ＧfPL（或いは関数発生器１０６で求めたトップハット燃料ガス流量ＧfTH又は関数発生器１１３で求めたメイン燃料ガス流量ＧfMA）に基づいて得られるパイロット燃料ガス流量Ｇ（あるいはトップハット燃料ガス流量Ｇ又はメイン燃料ガス流量Ｇ）と、関数発生器１６７の計算結果とを乗算する。除算器１６９では、乗算器１６９の乗算結果に対して乗算器１６４の乗算結果を除算する。
【数６】
2007077866.tif 000010
【０１２８】
乗算器１７１では、除算器１６９の除算結果と、シグナルジェネレータ１７０に設定されている下記の（１０）式の値との乗算を行う。
【数７】
2007077866.tif 000011
【０１２９】
乗算器１７２では、乗算器１７１における乗算結果同士を乗算する（即ち乗算器１７１の乗算結果の２乗を求める）。加算器１７３では、実測値の車室圧力（パイロットノズル、トップハットノズル又はメインノズルの後圧Ｐ2として用いる）にシグナルジェネレータ１７４で設定した値（１．０３３２）を加算して、車室圧力計ＰＸ５の計測値である車室圧力を絶対圧にする。乗算器１７５では加算器１７４の加算結果同士を乗算する（即ち車室圧力Ｐ2の２乗を求める）。加算器１７６では、乗算器１７２の乗算結果と乗算器１７５の乗算結果とを加算する。即ち、この加算器１７６までの処理で下記の（１１）式の計算をしたことになる。そして、ルーター１７７では、加算器１７６の加算結果の平方根を計算する。即ち、このルーター１７７までの処理で上記（６）式の計算をしたことになり、非チョークの場合のパイロットマニホールド圧力（或いはトップハットマニホールド圧力又はメインマニホールド圧力）の計算値Ｐ2が求められる。
【数８】
2007077866.tif 000012
【０１３０】
一方、乗算器１７９では、前述の除算器１６９の除算結果と、シグナルジェネレータ１７８に設定されている下記の（１２）式の値とを乗算する。即ち、この乗算器１７９までの処理で上記（８）式の計算をしたことになり、チョークの場合のパイロットマニホールド圧力（或いはトップハットマニホールド圧力又はメインマニホールド圧力）の計算値Ｐ2が求められる。
【数９】
2007077866.tif 000013
【０１３１】
チョーク判定器１８０では、ルーター１７７の出力であるパイロットマニホールド圧力（或いはトップハットマニホールド圧力又はメインマニホールド圧力）Ｐ2と、加算器１７３の出力である車室圧力（パイロットノズル、トップハットノズル又はメインノズルの後圧）Ｐ3とを比較し、下記の（１３）式の条件が成立したときにチョークであると判定する。
【数１０】
2007077866.tif 000014
【０１３２】
切替器１８１では、チョーク判定器１８０においてチョークと判定したときには乗算器１７９の出力値を選択し、これを計算パイロットマニホールド圧力（或いは計算トップハットマニホールド圧力又は計算メインマニホールド圧力）Ｐ2として図３０の切替器１６１へ出力する一方、チョーク判定器１８０においてチョークと判定しないとき（非チョークのとき）にはルーター１７７の出力値を選択し、これを計算パイロットマニホールド圧力（或いは計算トップハットマニホールド圧力又は計算メインマニホールド圧力）Ｐ2として図３０の切替器１６１へ出力する。
【０１３３】
次に、図３３に基づき、学習回路１６６について説明する。学習回路１６６では、まず、上記学習回路６２の場合と同様、ノズルＣｖ値の学習を開始する前に燃料ガス温度ＴＩＴが最高燃焼ガス温度（１５００℃）に達したか否かを判断する。即ち、ガスタービン入口燃焼ガス温度ＴＩＴが最高燃焼ガス温度（例えば１５００℃）のとき、圧縮機４の圧力比（圧縮機４の入口側圧力と出口側圧力との比）と排ガス温度との間には図１８に示すような関係がある。従って、学習回路１６６では、実測値の吸気圧力と実測値の車室圧力とから得られる圧縮機４の圧力比（車室圧力／吸気圧力）と、実測値の排ガス温度とを監視して、これらの圧力比と排ガス温度が図１８に示す関係になったときにガスタービン入口燃焼ガス温度ＴＩＴが最高燃焼ガス温度（１５００℃）に達したと判断して、学習を開始する。なお、これに限定するものではなく、ガスタービン入口燃焼ガス温度ＴＩＴが最高燃焼ガス温度（１５００℃）に達する前から学習を開始するようにしてもよい。
【０１３４】
学習回路１６６では、学習を開始すると、まず、減算器（偏差演算器）１８２において、マニホールド圧力補正ロジック１６３で計算したパイロットマニホールド圧力（或いはトップハットマニホールド圧力又はメインマニホールド圧力）Ｐ2と、パイロットマニホールド圧力計ＰＸ２（或いはトップハットマニホールド圧力計ＰＸ３又はメインマニホールド圧力計ＰＸ１）で計測したパイロットマニホールド圧力（或いはトップハットマニホールド圧力又はメインマニホールド圧力）との偏差を求める。
【０１３５】
そして、この偏差に基づき、ＰＩ制御器１８３において比例・積分演算をすることにより、０〜１の範囲の補正係数を求め、この補正係数が図３２のマニホールド圧力補正ロジック１６３の乗算器１６４へ出力されて、シグナルジェネレータ１６５のノズルＣｖ値（固定値）に乗算される。このように計算値のパイロットマニホールド圧力（或いはトップハットマニホールド圧力又はメインマニホールド圧力）Ｐ2と、実測値のパイロットマニホールド圧力（或いはトップハットマニホールド圧力又はメインマニホールド圧力）との偏差がなくなるようにノズルＣｖ値を補正することにより、より正確なノズルＣｖ値が得られる。
【０１３６】
＜作用効果＞
以上のように、本実施の形態例のガスタービン燃焼制御装置４１によれば、ＩＧＶ開度と吸気温度と大気圧比とに基づいて７００℃ＭＷと１５００℃ＭＷを算出し、これと実測値の発電機出力（ガスタービン）とに基づいて、直線補間により、ガスタービン入口燃焼ガス温度を無次元化したＣＬＣＳＯを算出し、このＣＬＣＳＯに基づいて決定する各燃料ガスの比率（パイロット比、トップハット比、メイン比）に基づいてパイロット燃料流量調節弁１９、トップハット燃料流量調節弁２１及びメイン燃料流量調節弁１７の開度を制御することにより各燃料ノズル（パイロットノズル２５、トップハットノズル２７、メインノズル２６）への燃料供給量を制御するため、本来の思想どおりガスタービン入口燃焼ガス温度に基づく制御が可能となり、吸気温度、燃料ガス温度及び燃焼ガス性状が変化しても、また、ガスタービン１の性能が劣化しても、ＣＬＣＳＯと各燃料ガスの比率（パイロット比、トップハット比、メイン比）との関係、即ち、燃料ガス温度と各燃料ガスの比率（パイロット比、トップハット比、メイン比）との関係を保つことができる。このため、従来よりも適切な燃焼制御を行うことができる。
【０１３７】
また、本実施の形態例のガスタービン燃焼制御装置４１によれば、算出したＣＬＣＳＯに基づいて、燃焼器バイパス弁開度を制御することにより圧縮空気のバイパス量を制御するため、燃焼器バイパス弁８に関しても本来の思想どおりガスタービン入口燃焼ガス温度に基づく制御が可能となり、ＣＬＣＳＯと燃焼器バイパス弁開度との関係、即ち、ガスタービン入口燃焼ガス温度と燃焼器バイパス弁開度との関係を保つことができる。このため、圧縮空気のバイパス流量制御の観点からも、従来よりも適切な燃焼制御を行うことができる。
【０１３８】
例えば図３４〜図３６に示すガスタービン運転結果から、発電機出力（ガスタービン出力）一定でＩＧＶ開動作をさせた場合、ＩＧＶ開動作にともなうガスタービン入口燃焼ガス温度ＴＩＴの低下に対して、パイロット比や燃焼器バイパス弁開度が追従することが分かる。また、図３７及び図３８のガスタービン運転結果から、燃料ガス温度が変化しても、パイロット比や燃焼器バイパス弁開度は変化しないことが分かる。
【０１３９】
また、本実施の形態例のガスタービン燃焼制御装置４１によれば、燃料ガスの比率（パイロット比、トップハット比、メイン比）を、吸気温度に基づいて補正するため、吸気温度の変化に対して、より適切な燃焼制御を行うことができる。しかも、この場合にはＣＬＣＳＯに応じて吸気温度補正量を調整するため、負荷（発電機出力：ガスタービン出力）に応じた適切な吸気温度補正を行うことができる。
【０１４０】
また、本実施の形態例のガスタービン燃焼制御装置４１によれば、実測値の排ガス温度と実測値の圧縮機圧力比とに基づいてガスタービン入口燃焼ガス温度が最高燃焼ガス温度（１５００℃）に達したと判断した後、算出した１５００℃ＭＷと実測値の発電機出力（ガスタービン出力）とを比較して、１５００℃ＭＷを実測値の発電機出力（ガスタービン出力）に一致させるように補正する学習回路６２を備えたため、ガスタービン１の性能が劣化したときにも、ＣＬＣＳＯ（ガスタービン入口燃焼ガス温度）と各燃料ガスの比率（パイロット比、トップハット比、メイン比）との関係や、ＣＬＣＳＯ（ガスタービン入口燃焼ガス温度）と燃焼器バイパス弁開度との関係を保つことができる。
【０１４１】
そして更には、本実施の形態例のガスタービン燃焼制御装置４１によれば、全燃料流量指令値（ＣＳＯ）と、燃料ガスの比率（パイロット比、トップハット比、メイン比）とに基づいて各燃焼ガスの燃料流量指令値（ＰＬＣＳＯ、ＴＨＣＳＯ、ＭＡＣＳＯ）を求め、この燃料流量指令値と、燃料流量指令値と燃料ガス流量との関数とに基づいて燃料ガス流量（パイロット燃料ガス流量ＧfPL、トップハット燃料ガス流量ＧfTH、メイン燃料ガス流量ＧfMA）求め、この燃料ガス流量と燃料ガス温度と各燃料流量調節弁１７，１９，２１の前圧及び後圧とに基づき、Ｃｖ値計算式から、各燃料流量調節弁１７，１９，２１のＣｖ値を求め、このＣｖ値と、Ｃｖ値と燃料流量調節弁開度との関数とに基づいて各燃料流量調節弁開度指令値（パイロット燃料流量調節弁開度指令値、トップハット燃料流量調節弁開度指令値、メイン燃料流量調節弁開度指令値）を求めるため、所定の燃料ガス比率（パイロット比、トップハット比、メイン比）となるように各燃料流量調節弁１７，１９，２１の開度を自動的に決定することができる。即ち、燃料ガス比率（パイロット比、トップハット比、メイン比）などが入力されれば、この燃料ガス比率に対応した各燃料流量調節弁開度指令値（パイロット燃料流量調節弁開度指令値、トップハット燃料流量調節弁開度指令値、メイン燃料流量調節弁開度指令値）を自動的に計算することができる。
【０１４２】
また、本実施の形態例のガスタービン燃焼制御装置４１によれば、燃料ガス温度計Ｔｆの異常が発生したときには、燃料ガス温度補正ロジック１２０において、この異常発生時よりも一定時間前の燃料ガス温度の実測値を燃料ガス温度として用いるため、断線などによる燃料ガス温度計Ｔｆの異常発生時にも、急激な燃焼ガス流量の変動などを招くことなく、安定した燃焼制御を行うことができ、ガスタービン１の運転を継続することができる。
【０１４３】
また、本実施の形態例のガスタービン燃焼制御装置４１によれば、燃料ガス温度補正ロジック１２０では一次遅れ演算器１２４と、この一次遅れ演算器１２４の一次遅れ時定数よりも小さい一次遅れ時定数を有する一次遅れ演算器１２５とを有し、燃料ガス温度に対して一次遅れ演算器１２４と一次遅れ演算器１２５とで一次遅れ演算をして、これらの演算結果の何れか小さいほうの値を燃料ガス温度として用いるため、ガスタービン入口燃焼ガス温度の変化速度を緩和することができるとともに燃焼ガスの過投入を防止することができる。
【０１４４】
また、本実施の形態例のガスタービン燃焼制御装置４１によれば、各燃料ガス流量（パイロット燃料ガス流量ＧｆＰＬ、トップハット燃料ガス流量ＧｆＴＨ、メイン燃料ガス流量ＧｆＭＡ）から得られる各燃料ノズル（パイロットノズル２５、トップハットノズル２７、メインノズル２６）の燃料ガス流量と、各燃料ノズルのＣｖ値と、燃料ガス温度と、燃料ノズルの後圧とに基づき、各燃料ノズルのＣｖ値算出式から得られる各燃料ノズルの前圧の算出式から、各燃料ノズルの前圧に相当する各燃料流量調節弁（パイロット燃料流量調節弁１９、トップハット燃料流量調節弁２１、メイン燃料流量調節弁１７）の後圧を算出するマニホールド圧力算出ロジック１６３を有し、各燃料流量調節弁の後圧を計測する各圧力計（パイロットマニホールド圧力計ＰＸ２、トップハットマニホールド圧力計ＰＸ３、メインマニホールド圧力計ＰＸ１）の異常が発生したときには、このマニホールド圧力算出ロジック１６３で算出した圧力を、各燃料流量調節弁の後圧として用いるマニホールド圧力補正ロジック１３０，１４０，１５０を備えたため、断線などによる各圧力計（パイロットマニホールド圧力計ＰＸ２、トップハットマニホールド圧力計ＰＸ３、メインマニホールド圧力計ＰＸ１）の異常発生時にも、ガスタービン１の燃焼制御を行うことができるため、ガスタービン１の運転を継続することができる。
【０１４５】
また、本実施の形態例のガスタービン燃焼制御装置４１によれば、マニホールド圧力算出ロジック１６３で算出された各燃料流量調節弁（パイロット燃料流量調節弁１９、トップハット燃料流量調節弁２１、メイン燃料流量調節弁１７）の後圧と、実測値の各燃料流量調節弁の後圧（パイロットマニホールド圧力、トップハットマニホールド圧力、メインマニホールド圧力）とを比較して、前記後圧の計算値が前記後圧の実測値に一致するように各燃料ノズル（パイロットノズル２５、トップハットノズル２７、メインノズル２６）のＣｖ値を補正する学習回路１６６を備えたため、より正確なノズルＣｖ値を得ることができて、より正確な前記後圧の計算値を得ることができる。
【０１４６】
なお、上記では３種類の燃料ノズルである第１燃料ノズル（図示例ではメインノズル）、第２燃料ノズル（図示例ではパイロットノズル）及び第３燃料ノズル（図示例ではトップハットノズル）を有する燃焼器を備えたガスタービンを例に挙げて説明したが、これに限定するものではく、本発明は例えば２種類の燃料ノズル（第１燃料ノズル、第２燃料ガス）を有する燃焼器や、４種類の燃料ノズル（第１燃料ノズル、第２燃料ノズル、第３燃料ノズル及び第４燃料ノズル）を有する燃焼器を備えたガスタービンにも適用することができる。
【０１４７】
また、上記では最高燃焼ガス温度を１５００℃としているが、勿論、これに限定するものではなく、最高燃焼ガス温度は、それぞれのガスタービン設計において高効率化、機器の耐熱性、ＮＯｘ低減などの観点から、例えば１４００℃、１６００℃など適宜に設定される。
【０１４８】
また、上記のように燃料の比率（パイロット比、トップハット比、メイン比）に基づいて各弁の開度指令値を設定する場合、この燃料の比率は、必ずしも上記のようにＣＬＣＳＯに基づいて決定したものを用いる場合に限定するものではなく、その他の任意の手段によって設定したものを用いることもできる。
【産業上の利用可能性】
【０１４９】
本発明はガスタービン本体と、複数種類の燃料ノズルを有する燃焼器と、圧縮機と、前記複数種類の燃料ノズルへの燃料供給量をそれぞれ調整する燃料流量調節弁とを有するガスタービンにおいて、前記燃料流量調節弁の開度を制御することによって前記複数種類の燃料ノズルへの燃料供給量を制御するガスタービンの燃焼制御装置を装備する場合に適用して有用なものである。
【図面の簡単な説明】
【０１５０】
【図１】本発明の実施の形態例に係るガスタービンの燃焼制御装置を備えたガスタービンの概略構成を示す図である。
【図２】前記ガスタービンにおける燃焼器の構成図である。
【図３】前記ガスタービンにおけるパイロット燃料供給ラインのパイロットマニホールド部分の概要図である。
【図４】本発明の実施の形態例に係るガスタービンの燃焼制御装置に全体概要図である。
【図５】前記ガスタービンの燃焼制御装置における処理の流れの概要を示すブロック図である。
【図６】ガスタービン入口燃焼ガス温度ＴＩＴとＣＬＣＳＯとの関係を示す図である。
【図７】ＣＬＣＳＯとパイロット比の関係を示す図である。
【図８】ＣＬＣＳＯとトップハット比の関係を示す図である。
【図９】ＣＬＣＳＯと燃焼器バイパス弁開度指令値の関係を示す図である。
【図１０】各ＩＧＶ開度におけるガスタービン入口燃焼ガス温度ＴＩＴとガスタービン出力（発電機出力）との関係を示す図である。
【図１１】各ＩＧＶ開度における吸気温度とガスタービン出力（発電機出力）との関係を示す図である。
【図１２】あるＩＧＶ開度、吸気温度、タービンバイパス比及び大気圧比における発電機出力（ガスタービン出力）とＣＬＣＳＯの関係を示す図である。
【図１３】ＩＧＶ開度の変化に対する発電機出力（ガスタービン出力）とＣＬＣＳＯの関係を示す図である。
【図１４】吸気温度の変化に対する発電機出力（ガスタービン出力）とＣＬＣＳＯの関係を示す図である。
【図１５】タービンバイパス比の変化に対する発電機出力（ガスタービン出力）とＣＬＣＳＯの関係を示す図である。
【図１６】前記ガスタービンの燃焼制御装置におけるＣＬＣＳＯの算出ロジックの構成を示すブロック図である。
【図１７】前記ガスタービンの燃焼制御装置における温調ＭＷの学習回路の構成を示すブロック図である。
【図１８】圧縮機の圧力比と排ガス温度の関係を示す図である。
【図１９】前記ガスタービンの燃焼制御装置における燃焼器バイパス弁開度指令値の算出ロジックの構成を示すブロック図である。
【図２０】ＣＬＣＳＯと吸気温度補正の重みとの関係を示す図である。
【図２１】吸気温度と補正係数の関係を示す図である。
【図２２】前記ガスタービンの燃焼制御装置におけるＰＬＣＳＯの算出ロジックの構成を示すブロック図である。
【図２３】前記ガスタービンの燃焼制御装置におけるＴＨＣＳＯの算出ロジックの構成を示すブロック図である。
【図２４】前記ガスタービンの燃焼制御装置における各燃料流量調節弁開度指令値の算出ロジックの構成を示すブロック図である。
【図２５】ＰＬＣＳＯとパイロット燃料ガス流量ＧfPLとの関係（比例関係）を示す図である。
【図２６】弁開度とＣｖ値の関係を示す図である。
【図２７】ＴＨＣＳＯとトップハット燃料ガス流量ＧfTHとの関係（比例関係）を示す図である。
【図２８】ＭＡＣＳＯとメイン燃料ガス流量ＧfMAとの関係（比例関係）を示す図である。
【図２９】前記ガスタービンの燃焼制御装置における燃料ガス温度補正ロジックの構成を示すブロック図である。
【図３０】前記ガスタービンの燃焼制御装置におけるマニホールド圧力補正ロジックの構成を示すブロック図である。
【図３１】発電機出力（ガスタービン出力）と変化レートとの関係を示す図である。
【図３２】前記ガスタービンの燃焼制御装置におけるマニホールド圧力算出ロジックの構成を示すブロック図である。
【図３３】前記ガスタービンの燃焼制御装置におけるノズルＣｖ値の学習回路の構成を示すロジック図である。
【図３４】前記ガスタービンの燃焼制御装置を備えたガスタービンの運転結果を示す図である。
【図３５】前記ガスタービンの燃焼制御装置を備えたガスタービンの運転結果を示す図である。
【図３６】前記ガスタービンの燃焼制御装置を備えたガスタービンの運転結果を示す図である。
【図３７】前記ガスタービンの燃焼制御装置を備えたガスタービンの運転結果を示す図である。
【図３８】前記ガスタービンの燃焼制御装置を備えたガスタービンの運転結果を示す図である。
【図３９】従来のガスタービンの燃焼制御装置における処理の流れの概要を示すブロック図である。
【図４０】発電機出力（ガスタービン出力）ＭＷと車室圧力Ｐcsの関数ＦＸ（Ｐcs）との比（ＭＷ／ＦＸ（Ｐcs））と、ＢＹＣＳＯ（燃焼器バイパス弁開度指令値）との関数を示す図である。
【図４１】吸気温度変化に対するガスタービン入口燃焼ガス温度ＴＩＴとＣＳＯの関係を示す図である。
【図４２】燃料ガス温度変化に対するガスタービン入口燃焼ガス温度ＴＩＴとＣＳＯの関係を示す図である。
【図４３】燃料ガス発熱量変化に対するガスタービン出力（発電機出力）とＣＳＯとの関係を示す図である。
【符号の説明】
【０１５１】
１  ガスタービン
２  ガスタービン本体
３  燃焼器
４  圧縮機
５  発電機
６  ＩＧＶ
７  アクチュエータ
８  燃焼器バイパス弁
９  タービンバイパスライン
１０  タービンバイパス弁
１１  燃料供給ライン
１２  メイン燃料供給ライン
１３  パイロット燃料供給ライン
１４  トップハット燃料供給ライン
１５  燃料止め弁
１６  メイン燃料圧力調節弁
１７  メイン燃料流量調節弁
１８  パイロット燃料圧力調節弁
１９  パイロット燃料流量調節弁
２０  トップハット燃料圧力調節弁
２１  トップハット燃料流量調節弁
２２  メインマニホールド
２３  パイロットマニホールド
２４  トップハットマニホールド
２５  パイロットノズル
２６  メインノズル
２７  トップハットノズル
２８  内筒
２９  外筒
３１  燃焼器パイパスライン
３２  タービンバイパスライン
４１  ガスタービン燃焼制御装置
５１，５２  関数発生器
５３，５４  除算器
５５，５６  乗算器
５７，５８  減算器
５９  除算器
６０  レート設定器
６１  シグナルジェネレータ
６２  学習回路
６３  減算器（偏差演算器）
６４  ＰＩ制御器
６５  ＬＯＷリミッタ
６６  乗算器
６７  低値選択器
６８  シグナルジェネレータ
７１，７２，７３  関数発生器
７４  乗算器
７５  除算器
８１，８２，８３  関数発生器
８４  除算器
８５  減算器
８６  乗算器
９１，９２，９３  関数発生器
９４  乗算器
９５  除算器
９６  乗算器
１０１，１０２，１０３  関数発生器
１０４  乗算器
１０５，１０６，１０７  関数発生器
１０９  乗算器
１１０  関数発生器
１１１  加算器
１１２  減算器
１１３，１１４  関数発生器
１１５  乗算器
１１６  関数発生器
１２０  燃料ガス温度補正ロジック
１２１  低値選択器
１２２  むだ時間設定器
１２３  切替器
１２４，１２５  一次遅れ演算器
１２６  低値選択器
１２７  レート付き切替器
１２８  シグナルジェネレータ
１３０，１４０，１５０  マニホールド圧力補正ロジック
１６１  切替器
１６２  変化レート設定器
１６３  マニホールド圧力算出ロジック
１６４  乗算器
１６５  シグナルジェネレータ
１６６  学習回路
１６７  関数発生器
１６８  乗算器
１６９  除算器
１７０  シグナルジェネレータ
１７１，１７２  乗算器
１７３  加算器
１７４  シグナルジェネレータ
１７５  乗算器
１７６  加算器
１７７  ルーター
１７８  シグナルジェネレータ
１７９  乗算器
１８０  チョーク判定器
１８１  切替器
１８２  減算器（偏差演算器）
１８３  ＰＩ制御器
ＰＷ  電力計
Ｔａ  吸気温度計
Ｔｆ  燃料ガス温度計
Ｔｈ  排ガス温度計
ＦＸ１  吸気流量計
ＦＸ２  タービンバイパス流量計
ＰＸ１  メインマニホールド圧力計
ＰＸ２  パイロットマニホールド圧力計
ＰＸ３  トップハットマニホールド圧力計
ＰＸ４  吸気圧力計
ＰＸ５  車室圧力計
ＰＤＸ１  メイン燃料差圧計
ＰＤＸ２  パイロット燃料差圧計
ＰＤＸ３  トップハット燃料差圧計
【図１】
2007077866.tif 000015
【図２】
2007077866.tif 000016
【図３】
2007077866.tif 000017
【図４】
2007077866.tif 000018
【図５】
2007077866.tif 000019
【図６】
2007077866.tif 000020
【図７】
2007077866.tif 000021
【図８】
2007077866.tif 000022
【図９】
2007077866.tif 000023
【図１０】
2007077866.tif 000024
【図１１】
2007077866.tif 000025
【図１２】
2007077866.tif 000026
【図１３】
2007077866.tif 000027
【図１４】
2007077866.tif 000028
【図１５】
2007077866.tif 000029
【図１６】
2007077866.tif 000030
【図１７】
2007077866.tif 000031
【図１８】
2007077866.tif 000032
【図１９】
2007077866.tif 000033
【図２０】
2007077866.tif 000034
【図２１】
2007077866.tif 000035
【図２２】
2007077866.tif 000036
【図２３】
2007077866.tif 000037
【図２４】
2007077866.tif 000038
【図２５】
2007077866.tif 000039
【図２６】
2007077866.tif 000040
【図２７】
2007077866.tif 000041
【図２８】
2007077866.tif 000042
【図２９】
2007077866.tif 000043
【図３０】
2007077866.tif 000044
【図３１】
2007077866.tif 000045
【図３２】
2007077866.tif 000046
【図３３】
2007077866.tif 000047
【図３４】
2007077866.tif 000048
【図３５】
2007077866.tif 000049
【図３６】
2007077866.tif 000050
【図３７】
2007077866.tif 000051
【図３８】
2007077866.tif 000052
【図３９】
2007077866.tif 000053
【図４０】
2007077866.tif 000054
【図４１】
2007077866.tif 000055
【図４２】
2007077866.tif 000056
【図４３】
2007077866.tif 000057